(57)【要約】活性物質（例えば薬剤）を含有するコア、およびコア表面上に適用される天然または合成ガムを含有する遅延放出圧縮コーティングを含有する時間治療用医薬製剤。【特許請求の範囲】
【請求項１】
治療的有効量の薬剤を含有するコア、及び該コア上に圧縮コーティングされる遅延放出剤を含有する遅延放出経口固形投与形態であって、該遅延放出剤が１つ以上の天然または合成ガムを含有し、該圧縮コーティングによって、該投与形態からの該薬剤の放出を、投与形態を水溶液に暴露した後約２時間から約１８時間遅延させる、上記投与形態。
【請求項２】
上記１つ以上の天然または合成ガムが、上記コア上に圧縮コーティングされる前に糖で凝集（agglomerated）されている、請求項１記載の遅延放出経口固形投与形態。
【請求項３】
上記薬剤の放出を、投与形態を水溶液に暴露した後少なくとも約４時間まで遅延させる、請求項１記載の遅延放出経口固形投与形態。
【請求項４】
上記ガムがキサンタンガムとローカストビーンガムの混合物を含有する、請求項１記載の遅延放出経口固形投与形態。
【請求項５】
上記遅延放出剤が、硫酸カルシウム、塩化ナトリウム、硫酸カリウム、炭酸ナトリウム、塩化リチウム、リン酸三カリウム、ホウ酸ナトリウム、臭化カリウム、フッ化カリウム、炭酸水素ナトリウム、塩化カルシウム、塩化マグネシウム、クエン酸ナトリウム、酢酸ナトリウム、乳酸カルシウム、硫酸マグネシウム、フッ化ナトリウム、及びこれらの混合物からなる群から選択されるイオン化可能なゲル強度増強剤を更に含有する、請求項４記載の遅延放出経口固形投与形態。
【請求項６】
上記イオン化可能なゲル強度増強剤が硫酸カルシウムである、請求項５記載の遅延放出経口固形投与形態。
【請求項７】
上記遅延放出剤が、陰イオン界面活性剤、陽イオン界面活性剤、両性（両親媒性／両親性（amphophilic））界面活性剤、及び非イオン性界面活性剤からなる群から選択される界面活性剤を更に含有する、請求項１記載の遅延放出経口固形投与形態。
【請求項８】
上記遅延放出剤が、疎水性物質を更に含有する、請求項１記載の遅延放出経口固形投与形態。
【請求項９】
上記疎水性物質が、環境液体に暴露した際にゲル化剤の水和を遅延させるのに効果的な量で、アルキルセルロース、アクリル酸エステル及びメタクリル酸エステルのコポリマー、ワックス、シェラック、ゼイン、硬化植物油、及びこれらの混合物からなる群から選択される、請求項８記載の遅延放出経口固形投与形態。
【請求項１０】
上記疎水性物質がエチルセルロースを含む、請求項８記載の遅延放出経口固形投与形態。
【請求項１１】
上記糖が、スクロース、デキストロース、ラクトース、フルクトース、マンニトール、およびこれらの混合物からなる群から選択される、請求項２記載の遅延放出経口固形投与形態。
【請求項１２】
上記コアが、約５〜約２０重量％の崩壊剤を更に含有する、請求項１記載の遅延放出経口固形投与形態。
【請求項１３】
上記崩壊剤が高度崩壊剤である、請求項１２記載の遅延放出経口固形投与形態。
【請求項１４】
上記崩壊剤が、デンプン、ビーガム（veegum）、クロスポビドン、セルロース、カオリン、微結晶セルロース、架橋ポリビニルピロリドン、及びこれらの混合物からなる群から選択される、請求項１２記載の遅延放出経口固形投与形態。
【請求項１５】
上記高度崩壊剤が、クロスカルメロースナトリウム、クロスポビドン、架橋カルボキシメチルセルロース、デンプングリコール酸ナトリウム、及びこれらの混合物からなる群から選択される、請求項１３記載の遅延放出経口固形投与形態。
【請求項１６】
上記内部コアが、スクロース、デキストロース、ラクトース、微結晶セルロース、フルクトース、キシリトール、ソルビトール、マンニトール、デンプン、及びこれらの混合物からなる群から選択される不活性希釈剤を更に含有する、請求項１記載の遅延放出経口固形投与形態。
【請求項１７】
上記コアが即時放出コアである、請求項１記載の遅延放出経口固形投与形態。
【請求項１８】
上記コアが持続放出担体を更に含有する、請求項１記載の遅延放出経口固形投与形態。
【請求項１９】
治療的有効量の薬剤を含有するコア、及び該コア上に圧縮コーティングされる凝集した遅延放出剤を含有する遅延放出経口固形投与形態であって、該凝集した遅延放出剤はホモ多糖、ヘテロ多糖、及びホモ多糖及びヘテロ多糖の混合物からなる群から選択されるガムと、製薬上許容される添加剤とを含有し、該圧縮コーティングによって、該投与形態からの該薬剤の放出を、投与形態を水溶液に暴露した後、既定の時間遅延させる、上記投与形態。
【請求項２０】
上記ヘテロ多糖ガムが遅延放出コーティングの約２０〜約８０％の量であり、上記ホモ多糖ガムが遅延放出コーティングの約８０〜約２０％の量である、請求項１記載の遅延放出経口固形投与形態。
【請求項２１】
上記へテロ多糖ガムがキサンタンガムであり、上記ホモ多糖ガムがローカストビーンガムである、請求項２０記載の遅延放出経口固形投与形態。
【請求項２２】
上記コアが有効量の崩壊剤を更に含有する、請求項２０記載の遅延放出経口固形投与形態。
【請求項２３】
治療的有効量の薬剤及び有効量の崩壊剤を含有するコア、及び該コア上に圧縮コーティングされる凝集した遅延放出剤を含有する遅延放出経口固形投与形態であって、該遅延放出剤が本質的に１つ以上の天然または合成の製薬上許容されるガム及び１つ以上の任意の医薬添加剤からなり、該圧縮コーティングによって、該投与形態からの該薬剤の放出を、投与形態を水溶液に暴露した後、既定の時間遅延させる、上記投与形態。
【請求項２４】
上記コアが約５〜約２０重量％の崩壊剤を含有する、請求項２３記載の遅延放出経口固形投与形態。
【請求項２５】
上記崩壊剤が、デンプン、ビーガム、クロスポビドン、セルロース、カオリン、微結晶セルロース、架橋ポリビニルピロリドン、及びこれらの混合物からなる群から選択される、請求項２４記載の遅延放出経口固形投与形態。
【請求項２６】
上記崩壊剤が、クロスカルメロースナトリウム、クロスポビドン、架橋カルボキシメチルセルロース、デンプングリコール酸ナトリウム、及びこれらの混合物からなる群から選択される、請求項２４記載の遅延放出経口固形投与形態。
【請求項２７】
上記薬剤の放出を、投与形態を水溶液に暴露した後少なくとも約４時間まで遅延させる、請求項２２記載の遅延放出経口固形投与形態。
【請求項２８】
上記ガムがキサンタンガム及びローカストビーンガムの混合物を含有する、請求項２２記載の遅延放出経口固形投与形態。
【請求項２９】
治療的有効量の薬剤及び崩壊剤を含有するコア、及び該コア上に圧縮コーティングされる遅延放出剤を含有する遅延放出経口固形投与形態であって、該遅延放出剤が１つ以上の天然または合成ガムを含有し、該圧縮コーティングによって、該投与形態からの該薬剤の放出を、投与形態を水溶液に暴露した後、既定時間遅延させるものであり、該崩壊剤が、該既定時間の後１時間以内に該薬剤の少なくとも約５０％が該水溶液中に放出されるのに効果的な量で該コアに含有されている、上記投与形態。
【請求項３０】
上記崩壊剤がコアの約５〜約２０重量％で含有される、請求項２９記載の遅延放出経口固形投与形態。
【請求項３１】
上記崩壊剤が上記経口固形投与形態の約0.1〜約５重量％で含有される、請求項２９記載の遅延放出経口固形投与形態。
【請求項３２】
上記崩壊剤が高度崩壊剤である、請求項２９記載の遅延放出経口固形投与形態。
【請求項３３】
上記高度崩壊剤が、クロスカルメロースナトリウム、クロスポビドン、架橋カルボキシメチルセルロース、デンプングリコール酸ナトリウム、及びこれらの混合物からなる群から選択される、請求項３２記載の遅延放出経口固形投与形態。
【請求項３４】
上記ガムがキサンタンガム及びローカストビーンガムの混合物を含有する、請求項２９記載の遅延放出経口固形投与形態。
【請求項３５】
上記キサンタンガム及び上記ローカストビーンガムが、上記コア上に圧縮コーティングされる前に糖で凝集されている、請求項３４記載の遅延放出経口固形投与形態。
【請求項３６】
治療的有効量の薬剤を含有する錠剤コア、及び該コア上に圧縮コーティングされる遅延放出剤を含有する遅延放出経口固形錠剤であって、該遅延放出剤が１つ以上の天然または合成ガムを含有し、該ガムは錠剤の約6.5〜約８３重量％で含有され、該圧縮コーティングによって、該投与形態からの該薬剤の放出を、投与形態を水溶液に暴露した後約２時間から約１８時間遅延させる、上記錠剤。
【請求項３７】
上記錠剤コアが約５〜約２０％の高度崩壊剤を更に含有する、請求項３６記載の遅延放出経口固形投与形態。
【請求項３８】
約0.01mgから約４０mgの薬剤を任意の製薬上許容される添加剤と共に含有するコア、及び該コア上に圧縮コーティングされる遅延放出剤を含有する低投与量薬剤のための時間治療用遅延放出経口固形投与形態であって、該遅延放出剤が１つ以上の天然または合成ガムを含有し、該圧縮コーティングが経口固体投与形態の約７５〜約９４重量％で含有され、コアと該圧縮コーティング中のガムの比率が重量比で約１：0.37から約１：５であり、該圧縮コーティングによって、該投与形態からの該薬剤の放出を、投与形態を水溶液に暴露した後約２時間から約１８時間までの時間遅延させる、上記投与形態。
【請求項３９】
上記投与形態の総重量が約220mgから約900mgである、請求項３８記載の経口固形投与形態。
【請求項４０】
コア重量が約50mgから約170mgである、請求項３８記載の経口固形投与形態。
【請求項４１】
上記コアが投与形態の総重量の約５〜約２３重量％である、請求項３８記載の経口固形投与形態。
【請求項４２】
上記圧縮コーティングが約150mgから約850mgである、請求項３８記載の経口固形投与形態。
【請求項４３】
上記コーティングが投与形態の総重量の約７８〜８０重量％である、請求項３８記載の経口固形投与形態。
【請求項４４】
コアと圧縮コーティングにおけるガムの比率が約1：0.37から約1：1.12であり、最も好ましくは約1：0.75以上である、請求項３８記載の経口固形投与形態。
【請求項４５】
コアと圧縮コーティングの比率が重量比で好ましくは約１：２から約１：９である、請求項３８記載の経口固形投与形態。
【請求項４６】
約４１mgから約300mgの薬剤を含有するコア、及び該コア上に圧縮コーティングされる遅延放出剤を含有する比較的高投与量の薬剤のための時間治療用遅延放出経口固形投与形態であって、該遅延放出剤が１つ以上の天然または合成ガムを含有し、コアと該圧縮コーティング中のガムの比率が重量比で約１：0.3から約１：３であり、該経口固形投与形態の総重量が約500mgから約1500mgであり、該圧縮コーティングによって、該投与形態からの該薬剤の放出を、投与形態を水溶液に暴露した後約２時間から約１８時間までの時間遅延させる、上記投与形態。
【請求項４７】
コアと圧縮コーティングにおけるガムの比率が重量比で約1：0.6から約1：1.5である、請求項４６記載の経口固形投与形態。
【請求項４８】
コアと圧縮コーティングの比率が重量比で約１：１から約１：５である、請求項４６記載の経口固形投与形態。
【請求項４９】
コアと圧縮コーティングの比率が約１：２から約１：３である、請求項４６記載の経口固形投与形態。
【請求項５０】
上記投与形態の総重量が約750mgから約1000mgである、請求項４６記載の経口固形投与形態。
【請求項５１】
薬剤の時間治療用経口固形投与形態の調製方法であって、
治療的有効量の薬剤、及びコアの約５〜約２０重量％の崩壊剤を含有するコアを調製し、
１つ以上の天然または合成ガムを含有する遅延放出剤の顆粒物を調製し、
該顆粒物を該コア上に圧縮コーティングする、
ことを含み、該圧縮コーティングによって、該投与形態からの該薬剤の放出が、投与形態が水溶液に暴露した後約２〜約１８時間遅延する、上記方法。
【請求項５２】
更に、遅延放出剤の上記顆粒物を、１つ以上の天然または合成ガムを少なくとも１種の製薬上許容される添加剤と共に湿潤顆粒化し、得られた顆粒物を乾燥することによって調製し、上記遅延放出剤の凝集粒子を得ることを含む、請求項５１記載の方法。
【請求項５３】
上記薬剤、上記崩壊剤、及び製薬上許容される不活性希釈剤を、上記圧縮コーティングステップの前に顆粒化することを更に含む、請求項５２記載の方法。
【請求項５４】
上記崩壊剤が該コア中に組み込まれた高度崩壊剤であり、該遅延放出のための時間終了後１時間以内に該薬剤の少なくとも約５０％が該水溶液中に放出されるのに効果的な量で該コアに含有される、請求項５３記載の方法。
【請求項５５】
投与形態が胃腸液に暴露した後少なくとも約４時間まで薬剤の放出を遅延させる、時間治療用医薬の製造における、請求項１、１９、２３、２９、３６、３８、または４６記載の経口固形投与形態の使用。
【請求項５６】
投与形態の経口投与後、薬剤が約４〜約１２時間の間、投与形態から放出されない、請求項５５記載の遅延放出経口固形投与形態。
【請求項５７】
投与形態の経口投与後、遅延時間が終了後、少なくとも約４時間かけて薬剤が放出される、請求項５５記載の遅延放出経口固形投与形態。
【発明の詳細な説明】
【技術分野】
【０００１】
本発明は治療的有効量の薬剤を含有する時間治療（chronotherapeutic）投与形態に関する。本発明は更に同製剤の調製法および同製剤を利用する治療法に関する。
【背景技術】
【０００２】
医療による生体リズム（時間生物学）の調整は時間治療と呼ばれる。時間治療は投薬のタイミング、そして場合によってはその量の決定において個人の生体リズムを考慮に入れて、薬剤の所望の効果を最適化し、望ましくない効果を最小限にする。この新しい、絶えず発展し続けている分野の専門家によれば、投薬レベルと疾病活性の生体リズムに同時性を持たせることは、一般的な心血管症状、例えば高血圧、高コレステロール、アンギナ、卒中、および虚血性心疾患の管理においてますます多くの役割を果たしている。例えばヒトにおいて、午前１時には術後の死亡が最も起こりやすく；午前２時には消化性潰瘍が再発し；午前３時には血圧が最低となり；午前４時には喘息が最悪の状態となる。枯草熱は起床時に最も苦痛が激しく、血圧が日中に適合するように上昇する朝の時間帯に心臓発作または卒中が最も起こりやすい。リウマチ性関節炎は日中は改善するが、骨関節炎は悪化する。アルコールはカクテル・アワーである午後５時頃、身体への毒性が最も低い。
【０００３】
時間治療の最初の適用は１９６０年代であるが、これは合成コルチコステロイド錠剤（Medrol, Upjohn）であった。臨床医による発見によれば、薬剤を朝使用するとより効果的であり、副作用がより少ない。時間治療を使用する市販品の別の例は気管支拡張剤、Uniphyl（登録商標）であり、これはPurdue Frederickが製造する長期作用型テオフィリン製剤である（１９８９年にＦＤＡ認可）。１日１回、夕食時に摂取して夜間の喘息症状を制御する。Uniphyl（登録商標）によって、困難な午前の時間の間に血中テオフィリンレベルがそのピークに達し、肺機能を向上する。
【０００４】
また経口制御放出運搬系は十二指腸、空腸、および回腸を含む全小腸管を通過することができうるため、そのような部位特異的運搬が必要とされる場合、活性成分を直接結腸で放出することができる。これを行う一つの方法は活性医薬製剤コアの周りにコーティングを施与し、これによって製剤が胃管を通過する際に無傷であるようにすることによる。胃管の高酸性度と胃管中のタンパク分解酵素および他の酵素の存在によって高度の消化環境が生じており、これによって何らかのタイプの胃に耐性のある防御を有さない医薬製剤は容易に分解される。この分解は一般に活性物質の持続放出に対して不利益な影響を有する。それらのコーティングを施与した医薬製剤は、錠剤のコア内に含まれる活性物質の放出速度を遅延するのに加え、活性成分の放出を所望の期間遅らせて活性物質コアの溶解を遅延することもできる。遅延放出のためのコーティングを施与した医薬運搬系の例は米国特許第4,863,742号（Panozら）および5,891,474号（Busettiら）、並びにEP366 621、EP572 942、およびEP629 398に見られる。それらの文献のそれぞれに記載されている遅延放出錠剤では治療活性物質コアを少なくとも一層、場合によっては数層のコーティングで被覆するが、コーティングの層は、錠剤コア内の活性物質の患者の系への一定時間後の放出に直接影響を与える。
【０００５】
当業者に考慮されるように、薬剤の運搬に適合できる経口制御放出運搬系を提供して放出速度および血漿中の薬剤プロフィールを生理学的および時間治療的必要を満たすようにすることができるのが望ましい。
【発明の開示】
【０００６】
発明の目的および概要
本発明の目的は、患者による経口摂取後、既定の時間に患者の体内に薬剤を放出する経口医薬投与形態を提供することである。
【０００７】
本発明の更なる目的は経口医薬投与形態を提供することであり、同投与形態は経口摂取後、既定の時間に患者の胃腸管に薬剤を遅延放出させる。
【０００８】
本発明のある実施形態の更なる目的は薬剤を含むコアを有する経口医薬投与形態を提供することであり、同コアはコーティングで圧縮コーティングされ、これによって投与形態を患者に経口投与した後に投与形態から薬剤が遅延放出される。
【０００９】
本発明のある実施形態の更なる目的は薬剤を含むコアを有する経口医薬投与形態を提供することであり、同コアはコーティングで圧縮コーティングされ、これによって投与形態を患者に経口投与した際に薬剤が遅延放出される。
【００１０】
本発明のある実施形態の更なる目的は、広範囲の疾患への時間特異的投与を可能とする投与形態を提供することである。
【００１１】
本発明のある実施形態の更なる目的は、概日リズムに対応して一般的に早朝により症状が出る関節炎、高血圧、または喘息等の疾患に対して時間特異的投与を可能とする投与形態を提供することである。
【００１２】
本発明のある実施形態の更なる目的は、投与形態から薬剤が遅延放出され、その後同投与形態が胃腸管を通過する際に薬剤が持続放出される投与形態を提供することである。
【００１３】
本発明のある実施形態の更なる目的は圧縮コーティングされた投与形態を提供することであり、同投与形態は圧縮コーティングされたコアを更にコーティングする薬剤の即時放出層を有し、これによって同投与形態から同じ若しくは異なる薬剤が遅延放出され；同コアは必要により、その後同投与形態が胃腸管を通過する際に薬剤を持続放出する。
【００１４】
本発明のある実施形態の更なる目的は、（例えば結腸への）薬剤を部位特異的に運搬する経口投与形態を提供することである。
【００１５】
本発明のある実施形態の更なる目的は、薬剤を計画（programmed）放出させる経口投与形態を開発することである。
【００１６】
本発明のある実施形態の更なる目的は、薬剤を拍動的に（pulsatile）放出させる経口投与形態を開発することである。
【００１７】
上記の本発明の目的に従って、本発明は一部には治療的有効量の薬剤を含有するコアおよび同コアに適用される圧縮コーティング剤を含む経口投与形態に関し、同圧縮コーティング剤はコアの表面上を圧縮コーティングする１つ以上の天然または合成ガムを含む遅延放出剤を含有し、これによって同投与形態の哺乳動物（例えばヒト患者）への経口投与後に、投与形態からの薬剤の放出が所望の時間遅延される。
【００１８】
ある好ましい実施形態では、圧縮コーティングはキサンタンガム、ローカストビーンガム、および製薬上許容される糖質、例えば単糖、二糖、多価アルコール、またはそれらのいずれかを組み合わせたものの混合物（例えばマトリクス）を含有する。ある好ましい実施形態では、コアは薬剤を１つ以上の製薬上許容される添加剤と共に含有する即時放出コアである。
【００１９】
更に本発明は一部には、治療的有効量の薬剤を含有するコアおよび該コア上に圧縮コーティングされる遅延放出剤を含む遅延放出経口固形投与形態に関し、同遅延放出剤は１つ以上の天然または合成ガムを含有し、同圧縮コーティングは該投与形態からの該薬剤の放出を、同投与形態の水溶液への暴露後約２時間から約１８時間の間遅延させる。
【００２０】
更に本発明は一部には、治療的有効量の薬剤を含有するコアおよび同コア上に圧縮コーティングされる凝集させた（agglimerated）遅延放出剤を含む遅延放出経口固形投与形態に関し、同塊状遅延放出剤は例えばホモ多糖、ヘテロ多糖、およびホモ多糖とへテロ多糖との混合物から選択されるガムを製薬上許容される添加剤と共に含有し、同圧縮コーティングは同投与形態からの該薬剤の放出を、同投与形態の水溶液への暴露後、既定の時間遅延させる。
【００２１】
更に本発明は一部には、治療的有効量の薬剤および崩壊剤を含有するコア、および同コア上に圧縮コーティングされる遅延放出剤を含む遅延放出経口固形投与形態に関し、該遅延放出剤は１つ以上の天然または合成ガムを含有し、該圧縮コーティングは同投与形態からの同薬剤の放出を、同投与形態の水溶液への暴露後、既定の時間遅延させ、同崩壊剤は有効量でコアに含有され、これによって該既定時間後１時間以内に少なくとも約５０％の同薬剤が該水溶液中に放出される。
【００２２】
更に本発明は一部には、治療的有効量の薬剤を含有する錠剤コアおよび同コア上に圧縮コーティングされる遅延放出剤を含む遅延放出経口固形錠剤に関し、同遅延放出剤は１つ以上の天然または合成ガムを含有し、同ガムは錠剤の約６．５重量％から約８３重量％含有され、該圧縮コーティングは同投与形態からの該薬剤の放出を、同投与形態の水溶液への暴露後、約２時間から約１８時間遅延させる。
【００２３】
更に本発明は、約０．０１ｍｇから約４０ｍｇの薬剤を含有するコアおよび同コア上に圧縮コーティングされる遅延放出剤を含む低投与量薬剤のための時間治療遅延放出経口固形投与形態に関し、同遅延放出剤は１つ以上の天然または合成ガムを含有し、同圧縮コーティングは同経口固形投与形態の約７５から約９４重量％含有され、同コアと同圧縮コーティング中のガムの比率は約１：０．３７から約１：５（重量比）であり、同圧縮コーティングは同投与形態からの該薬剤の放出を、同投与形態の水溶液への暴露後約２時間から約１８時間遅延させる。
【００２４】
更に本発明は一部には、約４１ｍｇから約３００ｍｇの薬剤を含有するコアおよび同コア上に圧縮コーティングされる遅延放出剤を含む比較的高投与量の薬剤のための時間治療遅延放出経口固形投与形態に関し、同遅延放出剤は１つ以上の天然または合成ガムを含有し、同コアと同圧縮コーティング中のガムの比率は約１：０．３から約１：３（重量比）であり、経口固形投与形態の総重量は約５００ｍｇから約１５００ｍｇであり、同圧縮コーティングは同投与形態からの該薬剤の放出を、同投与形態の水溶液への暴露後約２時間から約１８時間遅延させる。
【００２５】
更に本発明は一部には、薬剤の時間治療経口固形投与形態の調製法に関し、同方法は治療的有効量の薬剤およびコアの約５から約２０重量％の崩壊剤を含有するコアの調製、１つ以上の天然または合成ガムを含有する遅延放出剤の顆粒の調製、該コアへの同顆粒の圧縮コーティングを含み、同圧縮コーティングは該薬剤の放出を、同投与形態の水溶液への暴露後約２時間から約１８時間まで遅延させる。ある好ましい実施形態では、方法は１つ以上の天然または合成ガムを少なくとも１つの製薬上許容される添加剤と共に湿式造粒法によって顆粒化することによって遅延放出剤の顆粒を調製し、得られる顆粒を乾燥して遅延放出剤の塊状粒子を得ることを更に含む。ある実施形態では、方法は圧縮コーティング段階に先だってグルココルチコステロイド、崩壊剤、および製薬上許容される不活性希釈剤を顆粒化することを更に含む。
【００２６】
ある好ましい実施形態では、遅延放出時間が終了して１時間以内に少なくとも約５０％の薬剤を水溶液中に放出させるのに有効な量でコアに混合される高度崩壊剤（superintegrant）である。
【００２７】
本発明は更に、本明細書に開示した製剤を利用した治療方法に関する。
【００２８】
ある実施形態では、経口投与形態は（例えばヒト被験体または患者への）経口投与後約２から約１８時間の遅延時間を与える（薬剤の放出を遅延する）。
【００２９】
ある好ましい実施形態では、経口投与形態は、圧縮コーティングによって提供される遅延時間の終了後、同コア中に含有される薬剤の少なくとも約５０％を約１時間以内に、好ましくは同コア中に含有される薬剤の少なくとも約８０％を約１または２時間以内に放出する。
【００３０】
ある実施形態では、本発明の経口投与形態は（例えばヒト患者への）経口投与後、約５時間から約８時間の遅延時間を与え、約８時間から約１２時間で完全に放出する。
【００３１】
ある好ましい実施形態では、経口投与形態は、同投与形態の経口投与後約６時間から約７時間の遅延時間を与え、約８時間から約９時間で完全に放出する。
【００３２】
他の好ましい実施形態では、経口投与形態は経口投与後約６時間から約７時間の遅延時間を与え、続いて約７時間から約８時間で同薬剤を完全に放出する。
【００３３】
更に別の実施形態では、製剤は経口投与後約９時間から約１２時間の遅延時間を与え、約１１時間から約１３時間で完全に放出し、好ましくは同投与形態の経口投与後約１０時間から約１１時間の遅延時間を与え、続いて約１１時間から約１２時間で完全に放出する。
【００３４】
更に別の実施形態では、製剤は（例えば約３-１２時間の）遅延時間を与え、約２４時間以内、または（あるいは）２４時間後に同投与形態から同薬剤を完全に放出する。
【００３５】
本発明の目的において“遅延放出”とは、薬剤の放出が遅延され、投与形態に含まれる同薬剤が一定時間後まで製剤から実質的に放出されず、例えばそれによって患者による錠剤の摂取に際して直ちにではなく、特定の時間後（例えば４時間から９時間の遅延）になって初めて患者の血流中に同薬剤が放出されることを意味する。本発明の目的では、遅延放出は“一定時間遅延”もしくは遅延時間後の薬剤の放出、またはプログラム放出と同義である。
【００３６】
本発明の目的において“持続放出”とは、一度薬剤が製剤から放出されると制御された速度で放出され、それによって医薬品の治療的に有益な血中レベル（しかし毒性レベル未満）が薬剤放出の開始から長時間にわたって保持され、例えば遅延時間以後の薬剤放出時点から一定時間（例えば約４時間から約２４時間）にわたって放出を進行させることを意味する。
【００３７】
本発明の目的において“環境液体（environmental fluid）”とは、例えば水溶液（例えばin vitroの溶解槽（dissolution bath））または胃腸液を含むことを意図する。
【００３８】
ここで使用する米国薬局方器具III型という用語は、例えば米国薬局方XXV（2002）に記載される。
【発明を実施するための最良の形態】
【００３９】
発明の詳細な説明
本発明を利用して薬学的に活性な薬剤の時間遅延放出を実施してもよく、また、ある実施形態では薬学的に活性な薬剤の制御放出医薬製剤を提供してもよく、同薬剤は必要に応じて既定の時間にわたって運搬される。本発明の製剤は薬学的に活性な薬剤の時間遅延放出を提供し、必要に応じて時間遅延薬剤送達メカニズムを通して治療される症状の治療に有用でありうる。例えば本発明の製剤は関節炎、高血圧及び喘息（その症状は一般に患者が眠りから覚める朝に、より激しい）のような朝の病状、すなわち症状、疾患または他の疾病の治療に有用である。これらの症状を治療するために、本発明にかかる時間遅延放出製剤を就寝前に患者に投与し、ほぼ患者の起床時に薬学的に活性な薬剤の運搬を行うか、または好ましくは同薬剤が治療効果が得られる程度まで投与形態からすでに運搬（そして胃腸管から吸収）されていて、それによって朝の病状が軽減されていてもよい。
【００４０】
本発明の製剤は活性な薬剤を含有するコア、および同コアを被覆する圧縮コーティング（これは１つ以上の製薬上許容される天然または合成ガムを含有する）を含有する。ある特定の好ましい実施形態では、圧縮コーティングはヘテロ多糖ガム（例えばキサンタンガム）およびホモ多糖ガム（例えばローカストビーンガム）を組み合わせたものを、製薬上許容される糖（例えばラクトース、デキストロース、マンニトールなど）と共に含有する。ある好ましい実施形態では、ガムを必要に応じた糖と共に湿式造粒法によって顆粒化し、例えばキサンタンガム、ローカストビーンガム、およびデキストロースの混合物を含む塊状粒子を形成する。
【００４１】
本発明の圧縮コーティングの目的は活性物質の放出を既定の時間（当該分野ではこれを“遅延時間”と呼ぶ）遅延させることである。ある実施形態では、活性物質の放出は投与形態の投与後約２時間から約１８時間遅延される、またはその遅延時間を有する。
【００４２】
活性物質を含有するコアは活性物質を即時放出または持続放出のいずれをするようにも調製できる。活性物質の即時放出および持続放出のための製剤はいずれも当業者に周知である。
【００４３】
本発明では、活性な薬剤を含有するコアを即時放出として調製する場合、当業者に周知の好適な錠剤製造法のいずれによっても調製できる。例えば薬学的に活性な薬剤を添加剤と混合し、慣例的な錠剤プレスまたは慣例的な湿式造粒法を使用して錠剤コアとしてもよい。本発明のある好ましい実施形態によれば、コアの成分をV-混合機で乾式混合し、回転式錠剤プレスで圧縮して錠剤コアとする。あるいはまた、ある実施形態では、コアの成分を湿式造粒法により顆粒化、乾燥し、その後圧縮して錠剤コアとすることができる。好ましくは、コアは更なる加工の際（例えばコーティング加工の際）に欠けたりバラバラにならない程度の硬度まで圧縮すべきである。ある実施形態では、コアを重量５０ｍｇ、硬度２から８、好ましくは４から８、最も好ましくは４-５ｋＰまで圧縮できる。更に錠剤コアのサイズは１／８インチから５／８インチ、好ましくは１／８インチから１／２インチ、より好ましくは３／１６インチから１／４インチの範囲であるべきである。
【００４４】
コアが湿式造粒段階を経ないで製造され、最終混合物を圧縮して錠剤コアとするある実施形態では、コア中の添加剤の全てまたは一部は既製の直接圧縮希釈剤を含有してもよい。それらの既製の直接圧縮希釈剤の例にはEmcocel（登録商標）（微結晶セルロース、米国国民医薬品集（N.F.））、Emdex（登録商標）（デキストレート（dextrates）（米国国民医薬品集））、およびTab-Fine（登録商標）（スクロース、フルクトース、およびデキストロースを含む多くの直接圧縮糖）があり、これらは全てPenwest Pharmaceuticals社（Patterson, New York）から販売されている。他の直接圧縮希釈剤には以下がある：無水ラクトース（ラクトース（米国国民医薬品集））、無水直接錠剤（direct tableting））（Sheffield Chemical, Union N.J. 07083）；Elcems（登録商標）G-250（粉末セルロース（米国国民医薬品集）（Degussa, D-600 Frankfurt (Main) Germany）；Fast-Flo Lactose（登録商標）（ラクトース（米国国民医薬品集）、噴霧乾燥物）（Foremost Whey Produsts, Banaboo, WI 53913）；Maltrin（登録商標）（塊状マルトデキストリン）（Grain Processing社, Muscatine, IA 52761）；Neosorb 60（登録商標）（ソルビトール（米国国民医薬品集）、直接圧縮物）（Roquet社, 645 5th Ave. New York, N.Y. 10022）；Nu-Tab（登録商標）（圧縮性糖（米国国民医薬品集））（Ingredient Technology社, Pensauken, N.J. 08110）；Polyplasdone XL（登録商標）（クロスポビドン（Crospovidone）（米国国民医薬品集）、架橋ポリビニルピロリドン）（GAF社, New York, N.Y. 10020）；Primojel（登録商標）（デンプングルコール酸ナトリウム（米国国民医薬品集）、カルボキシメチルデンプン）（Generichem社, Little Falls, N.J.07424）；Solka Floc（登録商標）（綿状セルロース）（Penwest Pharmaceuticals社, Patterson N.Y. 10512）；Spray-dried lactose（登録商標）（ラクトース（米国国民医薬品集）、噴霧乾燥物）（Foremost Whey Products, Baraboo, WI 53913、およびDMV社, Vehgel, Holland）；およびSta-Rx 1500（登録商標）（Starch 1500）（α化デンプン（米国国民医薬品集）、圧縮性）（Colorcon社, West Point, PA 19486）。本発明のある実施形態では、本発明のコアに使用される直接圧縮可能な不活性希釈剤は米国特許第5,585,115号（1996年12月17日発行、“改善された圧縮性を有する医薬添加剤（Pharmaceutical Excipient Having Improved Compressibility）”）に開示される増強（augmented）微結晶セルロースであり、同特許は参照によりその全体が本明細書に組み込まれる。そこに記載される増強微結晶セルロースはProsolv（登録商標）の商品名でPenwest Pharmaceuticals社から販売されている。PROSOLV SMCC 50はケイ化微結晶セルロースである。この特定のグレードは、粒子サイズの中央値（ふるい分析による）が約50μmである。PROSOLV SMCC 90はケイ化微結晶セルロースである。このグレードは、粒子サイズの中央値（ふるい分析による）が約90μmである。
【００４５】
あるいはまた、ある実施形態では、活性薬剤を含有するコアを活性薬剤の持続放出のための持続放出コアとして調製することができる。活性薬剤を含有するコアを持続放出として調製する場合、当該分野で知られる多くの方法で同コアを調製することができる。例えば、活性薬剤を持続放出マトリクスに混合し、その後圧縮してコアとするか、または持続放出剤を即時放出コア上にコーティングして活性薬剤を持続放出させるか、または圧縮した持続放出マトリクスおよびコア上の持続放出コーティングを併用することができる。更に、活性薬剤を含有する球状物質、または持続放出コーティングを有し、活性薬剤を含有する多微粒子（multiparticlates）を必要に応じた結合剤および他の添加剤と共に圧縮して持続放出コアとしてもよい。
【００４６】
本発明のコアが持続放出マトリクスを含有する場合、同マトリクス製剤は一般に当該分野で周知の標準的な方法を使用して調製される。一般に、それらは持続放出剤、希釈剤、活性物質、および必要に応じた他の添加剤を乾式混合し、その後好適な顆粒が得られるまで混合物を顆粒化して調製する。顆粒化は当該分野で周知の方法によって行う。一般に湿式造粒法では、湿性顆粒をfluid bed dryerで乾燥し、ふるいにかけ、粉砕して好適なサイズとする。潤滑剤を乾燥した顆粒と混合して最終的なコア製剤を得る。
【００４７】
出願人の米国特許第4,994,276号；5,128,143号；5,135,757号；5,455,046号；5,512,297号；5,554,387号；5,667,801号；5,846,563号；5,773,025号；6,048,548号；5,662,933号；5,958,456号；5,472,711号；5,670,168号；6,039,980号（これらは全て参照により本明細書に組み込まれる）で出願人が報告したように、相乗作用性ヘテロ分散多糖（例えばキサンタンガムのようなヘテロ多糖）のようなゲル化剤を（好ましくは同ヘテロ多糖と架橋を形成できる多糖ガム（例えばローカストビーンガム）と共に）含有する制御放出添加剤は、薬剤および潤滑剤粉末の添加後の直接圧縮、慣例的な湿式造粒法、またはその２つの併用で経口固形投与形態に加工することができる。これらの系（制御放出添加剤）はTIMERx（登録商標）の商品名で本発明の譲渡人であるPenwest Pharmaceuticals社（Patterson, N.Y.）から販売されている。
【００４８】
本発明の、コアが活性物質を持続放出する実施形態では、同コアは出願人の上記の特許に開示されるような持続放出マトリクスを含有する。例えば本発明のある実施形態では、活性物質に加え、コアは、ヘテロ多糖ガムおよび環境液体に暴露した時に該ヘテロ多糖と架橋構造を形成できるホモ多糖ガムを含むゲル化剤を含む持続放出添加剤、および不活性な医薬希釈剤を含有する。好ましくはヘテロ多糖ガムとホモ多糖ガムの比率は約１：３から約３：１であり、活性物質とゲル化剤の比率は好ましくは約１：３から約１：８である。得られるコアは、好ましくは少なくとも約４時間、そしてある好ましい実施形態では約２４時間の間、治療的に有効な血中レベルの活性物質を提供する。ある好ましい実施形態では、持続放出添加剤は以下に記載するような有効量の製薬上許容されるイオン化可能なゲル強度増強剤を更に含有し、コアが環境液体に暴露されると、活性物質が持続放出される。（必要に応じたイオン化可能なゲル強度増強剤を含有する、またはしない）持続放出添加剤を、親水性マトリクスを分解することなくガムの水和を遅延する疎水性物質の導入によって更に修飾してもよい。更にある態様では、コア中に製薬上許容される界面活性剤または湿潤剤を含有させることによって活性物質の２相または多相放出プロフィールを提供するように持続放出添加剤を修飾することができる。あるいはまた、持続放出添加剤は上記のガムの１つだけを含有する。更に別の態様では、持続放出添加剤は別の製薬上許容されるガムを含有する。
【００４９】
上記に加え、他の持続放出物質を本発明の製剤の持続放出マトリクスコアに使用してもよい。本発明にかかる持続放出マトリクスに含有させてもよい好適な持続放出物質の非制限的なリストには親水性および／または疎水性物質（例えば持続放出ポリマーガム、アクリル樹脂、タンパク質誘導物質、ワックス、シェラック）、およびオイル（例えば硬化ヒマシ油、硬化植物油）がある。好ましい持続放出ポリマーにはアルキルセルロース、例えばエチルセルロース、アクリル酸およびメタクリル酸ポリマーおよびコポリマー；およびセルロースエーテル、特にヒドロキシアルキルセルロース（特にヒドロキシプロピルメチルセルロース）およびカルボキシアルキルセルロースがある。好ましいワックスには例えば天然および合成ワックス、脂肪酸、脂肪族アルコール、およびそれらの混合物（例えば蜜蝋、カルナウバ蝋、ステアリン酸、およびステアリルアルコール）がある。ある実施形態では、コアのマトリクスに上記の持続放出剤のいずれかの混合物を使用する。しかしながら、活性物質を持続放出させる能力のある製薬上許容される疎水性または親水性持続放出物質のいずれを本発明に従って使用してもよい。
【００５０】
あるいはまた、本発明のある実施形態では、十分量の疎水性コーティングを有する（上記のような）即時放出コアを使用して活性物質を即時放出コアから持続放出させることによって、活性物質の持続放出をさせるようにコアを調製してもよい。疎水性コーティングは当業者に周知の方法および技術を使用してコアに適用してもよい。好適なコーティング装置の例にはfluid bed coaters、pan coatersなどがある。それらの疎水性コーティングに使用してもよい疎水性物質の例には、例えばアルキルセルロース（例えばエチルセルロース）、アクリル酸およびメタクリル酸エステルのコポリマー、ワックス、シェラック、ゼイン、硬化植物油、それらの混合物などがある。
【００５１】
更に持続放出マトリクスおよび持続放出コーティングを併用して、活性物質の持続放出のためにコアを調製してもよい。また持続放出コア（例えば持続放出マトリクス、持続放出コーティング、またはその組み合わせ）および即時放出コアは好適な量の更なる添加剤、例えば薬学分野で慣例的な潤滑剤、結合剤、顆粒化助剤、希釈剤、着色剤、着香剤、および平滑化剤（glidant）を含有してもよい。
【００５２】
コアの調製に使用してもよい製薬上許容される希釈剤および添加剤の特定の例はHandbook of Pharmaceutical Excipients, American Pharmaceutical Association (1986)に記載されており、同文献は参照によりここに組み込まれる。
【００５３】
ある好ましい実施形態では、経口投与形態は１つ以上の崩壊剤を（好ましくはコアに混合して）含有する。それらの薬剤がコアに含有される場合、（圧縮コーティングによって起こる最初の遅延後の）薬剤の放出速度は即時パルス効果（an immidiate pulse effect）である。ある実施形態では、崩壊剤が存在しない場合に制御されたプロフィールを生み出してもよい。好適な崩壊剤は当業者に知られており、それらには例えばデンプングリコール酸ナトリウム（Penwest Pharmaceuticals社からExplotab（登録商標）として販売されている）がある。
【００５４】
崩壊の機構は崩壊剤の膨潤、ウィッキング（wicking）、および変形に基づく。圧縮錠剤を水溶液に配すると速やかに水分を吸収し、崩壊剤の膨潤によって速やかに錠剤が崩壊する。治療活性物質を即時放出のために調製するある実施形態で、崩壊剤が錠剤のコアに存在する場合、活性物質の放出速度は即時パルス効果である。治療活性物質を即時放出のために調製するある実施形態で、崩壊剤が存在しない場合、制御されたプロフィールを生み出してもよい。
【００５５】
本発明に使用するためのそれらの崩壊剤の例には、例えばデンプン、ビーガム（veegum）、クロスポビドン、セルロース、カオリン、微結晶セルロース（例えばAvicel  PH101およびPH102）、架橋ポリビニルピロリドン（例えばKollidon CL）、およびそれらの混合物がある。ある好ましい実施形態では、崩壊剤は高度崩壊剤、例えばクロスカルメロースナトリウム（croscarmellose sodium）、クロスポビドン、架橋カルボキシメチルセルロース、デンプングリコール酸ナトリウム、およびそれらの混合物である。高度崩壊剤は通常の崩壊剤より低レベルで導入して水分含量を増加させることができる。本発明に使用するための商標名のついた高度崩壊剤にはAc-Di-Sol（登録商標）、Primojel（登録商標）、Explotab（登録商標）、およびCrospovidone（登録商標）がある。
【００５６】
ある実施形態では、本発明のコアは崩壊剤に加えて、または崩壊剤の代わりにウィッキング（wicking）剤を含む。必要により崩壊剤として既に記載した物質のようなウィッキング剤（例えば微結晶セルロース）を含有させて水分吸収の速度を速めてもよい。ウィッキング剤として作用するのに好適な他の物質には、それに限定されるわけではないが以下がある：コロイド状二酸化ケイ素、カオリン、二酸化チタン、fumed 二酸化ケイ素、アルミナ、ナイアシンアミド、ラウリル硫酸ナトリウム、低分子量ポリビニルピロリドン、ｍ-ピロール、ベントナイト、ケイ酸アルミニウムマグネシウム、ポリエステル、ポリエチレン、それらの混合物など。
【００５７】
ある実施形態では、コア中に１つ以上の崩壊剤がコアの約５から約２０重量パーセント、好ましくは約６から約１０重量パーセント、最も好ましくは約８重量パーセントの量で含有される。錠剤全体の重量（例えばコアおよび圧縮コーティング）に関しては、コア中に１つ以上の崩壊剤が錠剤（製剤全体）の約０．１から約５重量パーセント、好ましくは約０．３から約２重量パーセントの量で含有される。
【００５８】
本発明によれば、活性物質を含有するコアを圧縮コーティングで完全に、または実質的に包囲する。圧縮コーティングは好ましくは医薬的に活性な薬剤の放出を既定の時間遅延し、この時間はコーティングの処方およびコーティング層の厚さに依存する。活性成分の放出に好適な時間は製剤の調製に先立って決定することができ、コーティングの好適な厚さおよび組成を適用し、活性成分の放出前の所望の時間の遅延、および遅延時間に次ぐ活性成分の所望の放出速度となるように製剤を設計できる。
【００５９】
好ましくは、圧縮コーティングはゲル化剤として機能する天然または合成ガムを含有し、これによって圧縮コーティングされた錠剤が環境液体（例えば水または胃腸液）に暴露されるとコアはゲルで包囲され、それによって薬剤は、圧縮コーティングを通して環境液体が拡散し、環境液体に薬剤が溶解し、そして溶解した薬剤が圧縮コーティング錠剤の周囲の液体に溶出した後に放出される。
【００６０】
ある実施形態では、圧縮コーティングに使用するためのガムには、例えば非制限的に以下がある：ヘテロ多糖、例えばキサンタンガム、ホモ多糖、例えばローカストビーンガム、ガラクタン、マンナン、植物性ガム、例えばアルギネート、インドガム、ペクチン、寒天、トラガカント、アカシア、カラゲナン、トラガカント、キトサン、寒天、アルギン酸、他の多糖ガム（例えば親水コロイド）、および上記のいずれかの混合物。本発明の圧縮コーティングに有用でありうる特定のガムの更なる例には、限定されるわけではないが以下がある：アセンヤク、salai guggal、indian bodellum、コパイバガム、アギ、cambi gum、Enterolobium cyclocarpum、マスチックガム、ベンゾインガム、サンダラック、gambier gum、butea frondosa（Flame of Forest Gum）、ミルラ、コンニャクマンナン、グアールガム、welan gum、gellan gum、tara gum、ローカストビーンガム、カラゲナンガム、グルコマンナン、ガラクタンガム、アルギン酸ナトリウム、トラガカント、キトサン、キサンタンガム、脱アセチル化キサンタンガム、ペクチン、ポリペクチンナトリウム、グルテン、インドガム、タマリンドガム、ghatti gum、Accaroid/Yacca/Red gum、ダンマルガム、ネズノキガム、エステルガム、ipil-ipil seed gum、gum talha（acacia seyal）、および培養植物細胞ガム（以下の種類の植物のものを含む：アカシア、actinidia、aptenia、carbobrotus、chickorium、キュウリ（cucumis）、グリシン、ハイビスカス、hordeum、letuca、トマト（lycopersicon）、リンゴ（malus）、ウマゴヤシ（medicago）、mesembryanthemum、oryza、panicum、phalaris、phleum、poliathus、ポリカルボフィル、sida、ナス（solanum）、ジャジクソウ（trifolium）、trigonella、Afzelia africana seed gum、Treculia africana gum、detarium gum、カワラケツメイガム（cassia gum）、carob gum、Prosopis africana gum、Colocassia esulenta gum、Hakea gibbosa gum、khaya gum、scleroglucan、トウモロコシ、上記のいずれかの混合物など。
【００６１】
ある特に好ましい実施形態では、圧縮コーティングはヘテロ多糖（例えばキサンタンガム）、ホモ多糖（例えばローカストビーンガム）、または１つ以上のヘテロ多糖および１つ以上のホモ多糖の混合物を含有する。出願人の米国特許第4,994,276号、5,128,143号、および5,135,757号で持続放出錠剤マトリクスとして既に開示したヘテロ分散（heterodisperse）添加剤を本発明の圧縮コーティングに利用してもよい。例えば本発明のある実施形態では、相乗作用を示すヘテロおよびホモ多糖の両方のゲル化剤、例えば２つ以上の多糖ガムの組み合わせで、同ガムのいずれか単独で予期されるものより粘性が高く、水和が早く、得られるゲルがより早く形成され、より固いものを本発明の圧縮コーティングに使用してもよい。
【００６２】
本発明で使用する“ヘテロ多糖”という用語は２種類以上の糖単位を含有する水溶性多糖と定義し、同ヘテロ多糖は分枝またはらせん構造を有し、優れた吸水（water-wicking）性および非常に高い増粘性を有する。
【００６３】
特に好ましいヘテロ多糖はキサンタンガムであり、これは高分子量（＞１０６）のヘテロ多糖である。他の好ましいヘテロ多糖にはキサンタンガムの誘導体、例えば脱アシル化キサンタンガム、カルボキシメチルエーテル、およプロピレングリコールエステルがある。
【００６４】
本発明に使用されるホモ多糖でヘテロ多糖と架橋構造を形成できるものにはガラクトマンナン、すなわちマンノースおよびガラクトースのみから成る多糖がある。ガラクトマンナンおよびヘテロ多糖間の相互作用の考えられる機構はヘテロ多糖のらせん領域とガラクトマンナンの未置換マンノース領域間の相互作用に関係する。未置換マンノース領域の比率が高いガラクトマンナンほど、ヘテロ多糖との相互作用がより高くなることが明らかになっている。従って、ガラクトースに対するマンノースの比率がより高いローカストビーンガムは、他のガラクトマンナン（例えばグアールガムおよびヒドロキシプロピルグアールガム）に比較して特に好ましい。
【００６５】
ある好ましい実施形態では、ヘテロ多糖は圧縮コーティングの約１から約５０重量パーセント、ホモ多糖物質は圧縮コーティングの約５０から約１重量パーセント含有される。ある好ましい実施形態では、ヘテロ多糖とホモ多糖物質の比率は約１：３から３：１、好ましくは約２：３から３：２、または１：１である。
【００６６】
ある好ましい実施形態では、圧縮コーティングは約５から約７０重量パーセント以上の親水性物質（例えばガム）を含有する。本発明のある好ましい実施形態では、圧縮コーティング中のガムのパーセンテージが高いほど活性物質の放出の遅延または“遅延時間”が長くなる。
【００６７】
ある実施形態では、圧縮コーティング中のガムのパーセンテージは活性物質の遅延放出に相関するが、これはｐＨには依存しない。例えばある好ましい実施形態では、圧縮コーティングが約２５％未満のガムである（好ましくは約５から約１５％のガムを含有する）場合、遅延放出は約２５％より高いガム（例えば３０、４０、または５０％のガム）を含有する圧縮コーティングより更にｐＨに非依存的である。
【００６８】
ある好ましい実施形態では、圧縮コーティングはまた、製薬上許容される添加剤、例えば糖、例えば単糖、二糖、もしくは多価アルコール、および／または上記のいずれかの混合物、あるいは微結晶セルロースもしくはデンプンを含有する。好適なそれらの添加剤の例にはスクロース、デキストロース、ラクトース、フルクトース、キシリトール、ソルビトール、マンニトール、デンプン、それらの混合物などがある。ある実施形態では、可溶性医薬添加剤、例えばラクトース、デキストロース、スクロース、マンニトール、またはそれらの混合物が圧縮コーティングに使用される物質に含有されるのが好ましい。ある好ましい実施形態では、ガムを製薬上許容される添加剤と共に湿式造粒法によって顆粒化した後、本発明の内部コアの表面上の圧縮コーティングとして使用する。圧縮コーティングは、例えば約９５重量％までの製薬上許容される添加剤を含有してもよい。
【００６９】
ある実施形態では、圧縮コーティングに含有されるガムの量は錠剤全体の約１重量パーセントから約９０重量パーセント、好ましくは約６．５重量パーセントから約８３重量パーセントである。
【００７０】
ある実施形態では、湿式造粒段階を使用せずに圧縮（遅延放出）コーティングの成分を乾式混合することができる。湿式造粒段階を行わずに混合物を製造し、最終混合物を成型済みの錠剤コア上に圧縮コーティングする場合、製薬上許容される添加剤の全部または一部に十分な圧縮性をもたせて製薬上許容される製品を提供すべきである。本発明に従って調製される特定の添加剤系の性質および特性は、一部には、（例えばホモ多糖およびヘテロ多糖成分の）ポリマー溶解度、ガラス遷移温度などに関する個々の特性に依存し、同様に溶解液-添加剤相互作用の修飾では別のホモ多糖とヘテロ多糖間、およびホモ多糖およびヘテロ多糖と不活性な糖成分間の相互作用に依存しうる。
【００７１】
圧縮コーティングがヘテロ多糖、ホモ多糖、またはその両方を含有する本発明のある実施形態では、持続放出マトリクスにおけるそれらの物質の使用に関する出願人の過去の特許に記載するような放出修飾物質を圧縮コーティングに使用することもできる。それらの放出修飾物質および既製の添加剤（出願人の米国特許第5,455,046号；5,512,297号；5,554,387号；5,677,801号；5,846,563号；5,773,025号；6,048,548号；5,662,933号；5,958,456号；5,472,711号；5,670,168号；6,039,980号に開示）を本発明の圧縮コーティングに使用してもよい。
【００７２】
従って、例えば放出修飾物質はイオン化可能なゲル強度増強剤を含有してもよい。本発明に関連して必要に応じて使用されるイオン化可能なゲル強度増強剤は単価または多価金属カチオンであってもよい。好ましい塩は無機塩であり、それらには種々のアルカリ金属および／またはアルカリ度類金属の硫酸塩、塩化物、ホウ酸塩、臭化物、クエン酸塩、酢酸塩、乳酸塩などがある。好適なイオン化可能なゲル強度増強剤の特定の例には以下がある：硫酸カルシウム、塩化ナトリウム、硫酸カリウム、炭酸ナトリウム、塩化リチウム、リン酸三カリウム、ホウ酸ナトリウム、臭化カリウム、フッ化カリウム、炭酸水素ナトリウム、塩化カルシウム、塩化マグネシウム、クエン酸ナトリウム、酢酸ナトリウム、乳酸カルシウム、硫酸マグネシウム、およびフッ化ナトリウム。多価金属カチオンを使用してもよい。しかしながら、好ましいイオン化可能なゲル強度増強剤は二価である。特に好ましい塩は硫酸カルシウムおよび塩化ナトリウムである。本発明のイオン化可能なゲル強度増強剤は、ゲル化剤（例えばヘテロ多糖およびホモ多糖ガム）の架橋形成によって所望の強化されたゲル強度を得るのに有効な量で添加する。別の実施形態では、イオン化可能なゲル強度増強剤は本発明の遅延放出添加剤に、遅延放出添加剤の約１から約２０重量％の量で、そして最終投与形態の０．５から約１６重量％の量で含有される。ある実施形態では、イオン化可能なゲル強度増強剤の含有によって活性物質の放出が遅延されるだけでなく、活性物質の持続放出が提供される。
【００７３】
本発明のある実施形態では、コア上にコーティングされる（遅延放出）圧縮コーティングは約１から約９０重量パーセントのゲル化剤（ヘテロ多糖およびホモ多糖ガムを含有）、約０から約２０重量パーセントのイオン化可能なゲル強度増強剤、そして約１０から約９５重量パーセントの製薬上許容される添加剤を含有する。他の実施形態では、圧縮コーティング物質は約５から約７５パーセントのゲル化剤（ガム）、約０から約１５パーセントのイオン化可能なゲル強度増強剤、そして約３０から約９５パーセントの製薬上許容される添加剤（例えば不活性な希釈剤）を含有する。更に別の実施形態では、圧縮コーティング物質は約７．５から約５０パーセントのゲル化剤、約０から約１０パーセントのイオン化可能なゲル強度増強剤、そして約３０から約９５パーセントの製薬上許容される添加剤を含有する。
【００７４】
本発明に使用してもよい界面活性剤には一般に製薬上許容される陰イオン界面活性剤、陽イオン界面活性剤、両性（両親媒性／両親性（amphophilic））界面活性剤、および非イオン性界面活性剤がある。好適な製薬上許容されるイオン性界面活性剤には例えば以下がある：一価アルキルカルボキシレート、アシルラクチレート、アルキルエーテルカルボキシレート、Ｎ-アシルサルコシネート、多価アルキルカーボネート、Ｎ-アシルグルタメート、脂肪酸-ポリペプチド縮合物、硫酸エステル、アルキルスルフェート（ラウリル硫酸ナトリウム（ＳＬＳ）を含む）、エトキシル化アルキルスルフェート、エステル結合スルホネート（ドクセートナトリウムまたはコハク酸ジオクチルナトリウム（ＤＳＳ）を含む）、αオレフィンスルホネート、およびリン酸化エトキシル化アルコール。
【００７５】
好適な製薬上許容される陽イオン界面活性剤には例えばモノアルキル４級アンモニウム塩、ジアルキル４級アンモニウム化合物、アミドアミン、およびアミンイミドがある。
【００７６】
好適な製薬上許容される両性（両親媒性／両親性（amphophilic））界面活性剤には例えばＮ-置換アルキルアミド、Ｎ-アルキルベタイン、スルホベタイン、およびＮ-アルキルβ-アミノプロピオネート（aminoproprionates）がある。
【００７７】
本発明に関する使用に好適な他の界面活性剤にはエステルまたはエーテルとしてのポリエチレングルコールがある。例としてポリエトキシル化ヒマシ油、ポリエトキシル化硬化ヒマシ油、ヒマシ油由来のポリエトキシル化脂肪酸、または硬化ヒマシ油由来のポリエトキシル化脂肪酸がある。使用できる市販の界面活性剤はCremophor、Myrj、Polyoxyl 40ステアレート、Emerest 2675、Lipal 395、およびPEG 3350の商標名で知られている。
【００７８】
溶解速度を変化させる特定の能力のために好適な量で添加してもよい製薬上許容される他の放出修飾物質には例えば以下がある：ステアリン酸、金属ステアリン酸塩、ステアリルアルコール、硬化綿実油、塩化ナトリウム、および以下に記載するある種の崩壊剤。
【００７９】
使用するそれらの放出修飾物質の量は必要とされる放出特性および物質の性質に依存する。本発明にかかる遅延放出製剤では、使用する放出修飾物質のレベルは総組成物の約０．１から約２５重量％、好ましくは約０．５から約１０重量％であってもよい。
【００８０】
本発明のある別の実施形態では、圧縮コーティングはｐＨ調整剤を含む。ｐＨ調整剤は圧縮コーティング中に、最終投与形態の約１重量％から約１０重量％含有されてもよい。好ましい実施形態では、ｐＨ調整剤はクエン酸、コハク酸、フマル酸、リンゴ酸、マレイン酸、グルタル酸、または乳酸のような有機酸である。
【００８１】
ある好ましい実施形態では、環境水溶液（例えば投与形態を取り巻く水または胃腸液など）が投与形態の圧縮コーティングを通して拡散し、コアの水和および薬剤の溶解が起こると薬剤が放出され、その後これはコアの周囲の液体中に通過できる。
【００８２】
ある好ましい実施形態では、薬剤の遅延放出（遅延時間）は圧縮コーティングの厚さの増加（遅延時間の増加）または圧縮コーティングの厚さの減少（遅延時間の減少）によって変化する。遅延放出は例えば以下によっても変化しうる：遅延放出圧縮コーティングに含有されるガムの変化（特定のガムの組み合わせの選択）、圧縮コーティング中の製薬上許容される添加剤（例えば糖（多糖を含む）または糖（または多糖）の組み合わせ）の含有または未含有、圧縮コーティング（例えばマトリクス）を通して内部コアに水（または胃腸液）が拡散すること（これによって内部コアの水和が可能となる）を更に遅延させるための圧縮コーティングへの更なる物質の変化または添加。更に、圧縮コーティングを適用するのに使用される圧縮力を使用して活性成分の放出速度を変化させてもよい。また、圧縮コーティングに更なる顆粒添加剤（extragranular excipient）を添加することによって放出を変化させることもできる。それらの成分は、例えば微結晶セルロース、ポリビニルピロリドン、ポリエチレングルコールなどを含有してもよい。
【００８３】
薬剤の遅延放出は更に、（ｉ）コアおよび圧縮コーティング間；（ii）圧縮コーティング上；または（iii）コアと圧縮コーティング間および圧縮コーティング上の両方への更なるコーティングの使用によって変化しうる。それらのコーティングは、例えば親水性ポリマー（例えばヒドロキシプロピルメチルセルロース）および／または疎水性ポリマー（例えばアクリルポリマー、アクリル酸およびメタクリル酸エステルのコポリマー、アルキルセルロース、例えばエチルセルロースなど）を含んでもよい。そのような状況では、投与形態からの薬剤の放出は液体が圧縮コーティングを通して拡散した時に起こるだけではなく、この段落に記載する更なるコーティングの浸食によっても薬剤の放出が遅延されうる。
【００８４】
本発明の溶解速度を（上記の必要に応じた修飾物質を用いて、または用いないで）、親水性マトリクスを崩壊させずにガムの水和を遅延する疎水性物質を圧縮コーティングに混合することによって更に修飾してもよい。これは、本発明の別の実施形態で、遅延放出添加剤を疎水性物質の溶液または分散液と共に顆粒化してからコアを圧縮コーティングすることによって行われる。疎水性ポリマーは以下から選択してもよい：アルキルセルロース、例えばエチルセルロース、他の疎水性セルロース物質、アクリル酸またはメタクリル酸エステルから誘導されるポリマーまたはコポリマー、アクリル酸およびメタクリル酸エステルのコポリマー、ゼイン、ワックス、シェラック、硬化植物油、および当業者に周知の他の製薬上許容される疎水性物質。疎水性物質のための溶媒は水性もしくは有機溶媒、またはそれらの混合物であってもよい。遅延放出添加剤に混合される疎水性物質の量は、環境液体への暴露時に生成される親水性マトリクスを崩壊させずにガムの水和を遅延するのに有効な量である。本発明のある好ましい実施形態では、疎水性物質は圧縮コーティング中に約１から約２０重量パーセントの量で含有される。
【００８５】
圧縮コーティングは好適な量の、例えば以下に記載する、製薬業界で慣例的である潤滑剤、結合剤、顆粒化助剤、希釈剤、着色剤、着香剤、および平滑化剤を含有してもよい。
【００８６】
圧縮コーティングに含有させる物質が既製品である好ましい実施形態では、ガム質ゲル化剤（例えばキサンタンガムおよびローカストビーンガムの混合物）と医薬添加剤を組み合わせ、放出修飾剤を含有させるか、または含有させずに、既製の圧縮コーティング製品を提供し、調製者は圧縮コーティングによって同物質をコア上に適用するだけで所望の時間治療投与形態を得ることができる。圧縮コーティングはガムと可溶性添加剤（例えば圧縮性スクロース、ラクトース、デキストロースなど）との物理的混合物を含んでもよいが、ガムを混合物を含まない製薬上許容される添加剤（すなわち結晶）スクロース、ラクトース、デキストロース、マンニトールなどと共に顆粒化または凝集させて圧縮コーティングに使用する遅延放出添加剤を生成するのが好ましい。顆粒形態はある種の利点を有するが、それには流動性および圧縮性に関して最適化できるということが含まれる。
【００８７】
圧縮コーティングに使用されるガムおよび必要に応じた医薬添加剤は、好ましくは凝集技術に従って調製し、許容される添加剤産物を得る。湿式造粒法では、所望の量の親水性物質（例えばヘテロ多糖ガムおよび／またはホモ多糖ガム）および不活性希釈剤を混合し、その後湿潤剤（例えば水、プロピレングリコール、グリセロール、アルコールなど）を添加して湿った塊を調製する。次に湿った塊を乾燥する。続いて乾燥した塊を慣例的な装置で粉砕して顆粒とする。その後、添加剤産物はいつでも使用できる状態となる。
【００８８】
（好ましくは）既製の遅延放出添加剤は好ましくは流動性があり、直接圧縮することができる。従って、治療的に活性な医薬品の成型済みの内部コア上に添加剤を直接圧縮してコーティング錠を生成してもよい。成型済みの錠剤コア上に均一にコーティングするのに十分な量の遅延放出コーティング混合物を、慣例的な生産スケールの錠剤製造機で、通常の圧縮圧、すなわち約２０００-１６００ポンド／平方インチで錠剤化する。しかしながら混合物は、その後に胃腸液に暴露される際にその水和が困難になるほど圧縮すべきではない。
【００８９】
本発明の顆粒化遅延放出添加剤の平均粒子サイズは約５０ミクロンから約４００ミクロン、好ましくは約１８５ミクロンから約２６５ミクロンの範囲である。顆粒の粒子サイズは厳密に重要ではなく、重要なパラメーターは顆粒の平均粒子サイズが医薬的に活性な錠剤コアをコーティングする、直接圧縮できる添加剤の生成を可能にするものであることである。本発明の顆粒の所望の特質（tap）およびかさ密度は通常、約０．３から約０．８ｇ／ｍｌの間であり、平均密度は約０．５から約０．７ｇ／ｍｌである。
【００９０】
本発明の圧縮コーティングは、好ましくは種々の粒子サイズ分布の範囲にわたって均一の充填性を有し、潤滑剤の添加に次いで、直接圧縮を使用して成型済みの錠剤コア上に加工を施与することが可能である。
【００９１】
錠剤コアに（必要に応じて）使用されるのに加え、ある実施形態では１つ以上の製薬上許容される潤滑剤を（好ましくはあらかじめ凝集させた）圧縮コーティング物質に添加し、その後混合物をコアの表面上に圧縮コーティングするのが好ましい。本発明のコアおよび圧縮コーティングに使用するのに好適な潤滑剤の例には、例えば非制限的にタルク、ステアリン酸、植物油、ステアリン酸カルシウム、ステアリン酸亜鉛、ステアリン酸マグネシウムなどがある。好ましくは有効量の一般的に許容される医薬潤滑剤（カルシウムまたはマグネシウム石鹸を含む）を好ましくは成分の混合物に添加した後、成型済みの固形錠剤コア上に同混合物を圧縮する。特に好ましい潤滑剤はステアリルフマル酸ナトリウム（米国国民医薬品集）であり、Penwest Pharmaceuticals社からPruv（登録商標）の商標名で販売されている。
【００９２】
ある実施形態では、本発明は更に本発明の遅延放出固形経口投与形態（例えば錠剤）を製造する方法に関する。ある好ましい実施形態では、本発明の遅延放出経口固形投与形態を調製するための段階は以下を含んでもよい：
内部コア製剤の調製：
１．（Ａ）活性成分（例えば薬剤）を必要に応じた添加剤と共に湿式造粒法で顆粒化した後、乾燥および粉砕（必要により）して顆粒を得る；または
（Ｂ）活性成分を必要に応じた添加剤と、必要によって幾何学的希釈剤を使用して乾式混合して顆粒を得る；
２．必要により、更に顆粒化するために添加剤を段階１で調製した物質に、好適な混合で添加する；
３．好ましくは、段階１または２で調製した粉末混合物を潤滑化する；
４．段階３で調製した粉末混合物を使用し、好適な圧縮機でコアを圧縮する；
５．必要により、段階４で調製した錠剤コア上に機能性フィルムコーティングを適用する；
遅延放出（圧縮）コーティングの調製は、例えば以下のように行ってもよい：
６．（Ａ）ガム（例えばヘテロ多糖ガムおよびホモ多糖ガム）を必要に応じた添加剤と共に湿式造粒法で顆粒化して遅延放出剤（塊状粒子）を生成し、その後遅延放出剤を乾燥する；または
（Ｂ）ガムを必要に応じた添加剤と共に乾式混合して遅延放出剤（顆粒）を生成する；
７．好ましくは、段階６で調製した遅延放出剤を粉砕する；
８．好ましくは、段階６または７で調製した遅延放出剤を平滑化する；
内部コアのコーティング：
９．段階６-８で調製した遅延放出剤を段階１-５で調製した錠剤コア上に圧縮コーティングする；
１０．必要により、最終投与形態をフィルムでコーティングする（所望の場合）。
【００９３】
ある実施形態では、例えば以下に記載するDry-Cota Pressを使用する際、段階４および１０を合わせて単一ユニット操作とする。錠剤コアの機能性コーティングは、圧縮機を改造してコア錠剤投入システムを装着すればDry-Cota Pressを使用して行いうる。
【００９４】
Manesty Dry-Cota Press圧縮機は、２つの並んで互いに連結した錠剤プレスから成り、一方のプレスでコアが生成され、次いで自動的に次のプレスに移動されて圧縮コーティングが行われる。それぞれの“プレス”は独立した粉末投入機構を有し、それによってコア混合物は一方の機械に、そしてコーティング混合物は他方に導入される。自動移動アームは機械間を回転し、一方のプレスからコアを取り出し、コーティングプレスにそれらを移動する。使用してもよい他の、およびより現代的なタイプのプレス（例えばElizabeth Hata HT-AP 44-MSU-C、Killian RUD、Fette PT 4090）はコーティング混合物と成型済みのコアの同時投入システムを有する。この形状はよりフレキシブルであり、コアを圧縮コーティングの前に機能性または見た目を良くするための（cosmetic）コーティングでパンコーティングすることができる。更にこれにより、既に圧縮コーティングした錠剤を循環させることによって複数の圧縮コーティング層を施与することが可能となる。どちらのタイプのプレスも、垂直方向にも完全に（both vertically and radically）コーティング内で錠剤を中心に位置させるような機構を有する。当業者に理解されるように、他の錠剤プレスを使用して本発明の最終投与形態を提供してもよい。
【００９５】
一般に圧縮コーティングはコア全体を包囲するが、本発明のある実施形態では、圧縮コーティングは錠剤コアを実質的に包囲するが、完全には包囲しない。そのような場合、内部コアの圧縮コーティングされていない部分から最初に錠剤コアからの薬剤の放出が起こる。本発明の他の実施形態では、圧縮コーティングを内部コア全体に同じ厚さで適用せず、そのため他の部分より早く（および遅く）薬剤を放出する圧縮投与形態の部分ができる。これは、例えばプレス中で中央にならないように圧縮コーティングをそのコアに適用することによって行ってもよい。
【００９６】
最善の結果を得るには、コアの圧縮コーティングから生成される錠剤は約４から約２５ｋＰ、好ましくは約５から約１５ｋＰ、最も好ましくは約８から約９ｋＰの硬度である。ある好ましい実施形態では、円形圧縮コーティング錠では直径が５／８インチ以上までであってもよく、caplet型圧縮コーティング錠では直径が３／４インチ以上までであってもよい。本発明に従って調製する（非圧縮）コーティングの平均流動度（flow）は約２５から約４０ｇ／秒である。
【００９７】
本発明のある実施形態では、その後圧縮コーティング錠を腸溶性コーティング物質または疎水性物質で更にコーティングしてもよい。好適な腸溶性ポリマーの例には酢酸フタル酸セルロース、ヒドロキシプロピル-フタル酸メチルセルロース（hydroxypropyl-methylcellulose phthalate）、ポリビニルアセテートフタレート（polyvinylacetate phthalate）、メタクリル酸コポリマー、シェラック、コハク酸ヒドロキシプロピルメチルセルロース、酢酸セルローストリメリテート、および上記のいずれかの混合物がある。好適な市販の腸溶性物質の一例として、Eudragit（登録商標） L30D55の商標名で入手できるものがある。
【００９８】
更なる実施形態では、投与形態を上記の腸溶性コーティングまたは疎水性コーティングに加え、またはその代わりに親水性コーティングでコーティングしてもよい。それらの親水性コーティングに使用してもよい好適な物質の一例としてヒドロキシプロピルメチルセルロース（例えばOpadry（登録商標）、Colorcon, West Point, Pennsylvaniaから販売）がある。
【００９９】
更に別の実施形態では、必要に応じた腸溶性および／または疎水性および／または親水性コーティングをコアおよび圧縮コーティング間の中間層として、代替として、または更に適用してもよい。
【０１００】
必要に応じた腸溶性および／または疎水性および／または親水性コーティングは当業者に周知の製薬上許容される様式で適用してもよい。例えばある実施形態では、fluidized bedを介して、またはコーティングパン中でコーティングを適用する。例えば、コーティングした錠剤を、例えば約６０-７０℃で約３-４時間コーテングパンで乾燥してもよい。疎水性ポリマーまたは腸溶性コーティングのための溶媒は有機溶媒、水性溶媒、または有機溶媒と水性溶媒の混合物であってもよい。有機溶媒は、例えば水を含有する、または含有しないイソプロピルアルコール、エタノールなどであってもよい。
【０１０１】
本発明の更なる実施形態では、サポートプラットホーム（support platforms）を本発明に従って製造した錠剤に適用する。好適なサポートプラットホームは当業者に周知である。好適なサポートプラットホームの例は、例えば米国特許第4,839,177号に記載されており、これは参照により本明細書に組み込まれる。同特許では、サポートプラットホームは錠剤を部分的にコーティングし、水溶液に不溶なポリマー物質から成る。サポートプラットホームは、例えば治療的に活性な医薬品の移動の際に、その不浸透性を維持するように設計してもよい。サポートプラットホームは、例えば錠剤表面の一部への圧縮コーティングを介して、サポートプラットホームを含有するポリマー物質を錠剤表面の全部または一部にスプレーするか、またはポリマー物質の溶液に錠剤を浸漬することによって錠剤に適用してもよい。
【０１０２】
サポートプラットホームは、例えば、圧縮によって適用する場合は約２ｍｍ、スプレーコーティングまたは浸漬コーティングによって適用する場合は約１０μの厚さであってもよい。一般に、遅延放出コーティングを覆って疎水性ポリマーまたは腸溶性コーティングを錠剤に適用する本発明の実施形態では錠剤を約１から約２０％、ある好ましい実施形態では約５％から約１０％の重量増加となるまでコーティングする。
【０１０３】
本発明の疎水性コーティングおよびサポートプラットホームに有用な物質にはアクリル酸の誘導体（例えばアクリル酸、メタクリル酸のエステル、およびそれらのコポリマー）、セルロースおよびその誘導体（例えばエチルセルロース）、ポリビニルアルコールなどがある。
【０１０４】
上記のように、コアおよび／または圧縮コーティングは好適な量の、例えば潤滑剤、結合剤、顆粒化助剤、希釈剤、着色剤、着香剤、および平滑化剤で、薬学分野で慣例的なものを含有してもよい。
【０１０５】
本発明における使用に好適な結合剤の例には、例えば非制限的にポビドン、ポリビニルピロリドン、キサンタンガム、セルロースガム、例えばカルボキシメチルセルロース、メチルセルロース、ヒドロキシプロピルメチルセルロース、ヒドロキシセルロース、ゼラチン、デンプン、およびα化デンプンがある。
【０１０６】
本発明における使用に好適な平滑化剤の例にはタルク、二酸化ケイ素、およびコーンスターチがある。
【０１０７】
本発明のある実施形態では、錠剤コアは更なる用量の薬剤（または治療的有効量の別の薬剤）を含有し、これは（必要に応じた）疎水性もしくは腸溶性コーティングのいずれかに含有されるか、または（疎水性または腸溶性コーティングを有さない）錠剤コアの外表面上を被覆する更なる（必要に応じた）コーティング、もしくは圧縮コーティング（および、適用できる場合には疎水性および／または腸溶性コーティング物質）を含むベースとなるコーティングの表面上を被覆する更なるコーティング層として含有される。これは、例えば薬剤の負荷量が、製剤が最初に胃液に暴露される時に治療的に有効な血中レベルの活性物質を提供することを必要とされる場合に所望されうる。コーティング層に含有される薬剤の負荷量は、例えば製剤中に含有される薬剤の総量の約１０％から約４０％であってもよい。
【０１０８】
本発明に導入するのに好適な薬剤の例には以下がある：
抗ヒスタミン剤（例えばマレイン酸アザタジン、マレイン酸ブロムフェニルアミン、マレイン酸カルビノキサミン、マレイン酸クロルフェニルアミン、マレイン酸デキスクロルフェニルアミン、塩酸ジフェンヒドラミン、コハク酸ドキシルアミン、塩酸メトジラジン、プロメタジン、酒石酸トリメプラジン、クエン酸トリペレナミン、塩酸トリペレナミン、および塩酸トリプロリジン）；
抗生物質（例えばペニシリンＶカリウム、クロキサシリンナトリウム、ジクロキサシリンナトリウム、ナフシリンナトリウム、オキサシリンナトリウム、カルベニシリンインダニルナトリウム、塩酸オキシテトラサイクリン、塩酸テトラサイクリン、リン酸クリンダマイシン、塩酸クリンダマイシン、塩酸パルミチン酸クリンダマイシン（clindamycin palmitate HCL）、塩酸リンコマイシン、ノボビオシンナトリウム、ニトロフラントインナトリウム、塩酸メトロニダゾール）；抗拮抗剤（例えばイソニアジド）；
コリン作動物質（例えば塩化アンベノニウム、塩化ベタネコール、臭化ネオスチグミン、臭化ピリドスチグミン）；
抗ムスカリン作用物質（例えば臭化メチルアニソトロピン、臭化クリニジウム、塩酸ジシクロミン、グリコピロレート、メチル硫酸ヘキソサイクリウム、臭化メチルホマトロピン、硫酸ヒオスシアミン、臭化メタンテリン、臭化水素酸ヒヨスチン、臭化オキシフェノニウム、臭化プロパンテリン、塩化トリジヘキセチル）；
交感神経作用物質（例えばメシル酸ビトルテロール、エフェドリン、塩酸エフェドリン、硫酸エフェドリン、硫酸オルシプレナリン、塩酸フェニルプロパノールアミン、塩酸プソイドエフェドリン、塩酸リトドリン、硫酸サルブタモール、硫酸テルブタリン）；
交感神経遮断物質（例えば塩酸フェノキシベンザミン）；その他の自律神経作用物質（例えばニコチン）；
鉄製剤（例えばグルコン酸第１鉄、硫酸第１鉄）；
止血剤（例えばアミノカプロン酸）；
強心剤（例えば塩酸アセブトロール、リン酸ジソピラミド、酢酸フレカイニド、塩酸プロカインアミド、塩酸プロプラノロール、グルコン酸キニジン、マレイン酸チモロール、塩酸トカイニド、塩酸ベラパミル）；
抗高血圧剤（例えばカプトプリル、塩酸クロニジン、塩酸ヒドララジン、塩酸メカミラミン、酒石酸メトプロロール）；血管拡張剤（例えば塩酸パパベリン）；
非ステロイド系抗炎症剤（例えばサリチル酸コリン、イブプロフェン、ケトプロフェン、サリチル酸マグネシウム、メクロフェナメートナトリウム（meclofenamate sodium）、ナプロキセンナトリウム、トルメチンナトリウム）；
オピエートアゴニスト（例えば塩酸コデイン、リン酸コデイン、硫酸コデイン、酒石酸デキストロモルアミド、重酒石酸ヒドロコドン、塩酸ヒドロモルホン、塩酸ペチジン、塩酸メタドン、硫酸モルフィン、酢酸モルフィン、乳酸モルフィン、メコン酸モルフィン、硝酸モルフィン、第１リン酸モルフィン（morphine monobasic phosphate）、酒石酸モルフィン、吉草酸モルフィン、臭化水素酸モルフィン、塩酸モルフィン、塩酸プロポキシフェン）；
抗痙攣剤（例えばフェノバルビタールナトリウム、フェニトインナトリウム、トロキシドン、エトスクシミド、バルプロエートナトリウム）；
精神安定剤（例えばマレイン酸アセトフェナジン、塩酸クロルプロマジン、塩酸フルフェナジン、プロクロルペラジンエディシレート、塩酸プロメタジン、塩酸チオリダジン、塩酸トリフルオロペラジン、クエン酸リチウム、塩酸モリンドン、塩酸チオチキシン（thiothixine hydrochloride））；
化学療法薬（例えばドキソルビシン、シスプラチン、フロクスウリジン、メトトレキセート、それらの組み合わせなど）；
脂質低下剤（例えばゲムフィブロジル、クロフィブレート、HMG-CoAレダクターゼ阻害剤、例えばアトルバスタチン、セリバスタチン、フルバスタチン、ロバスタチン、プラバスタチン、シンバスタチンなど）；
H2アンタゴニスト（例えばシメチジン、ファモチジン、ニザチジン、塩酸ラニチジンなど）；
抗凝血剤および抗血小板剤（例えばワルファリン、シピリダモール、チクロピジンなど）；
気管支拡張剤（例えばアルブテロール、イソプレテレノール、メタプロテレノール、テルブタリンなど）；
刺激剤（例えば塩酸ベンズアンフェタミン（benzamphetamine hydrochloride）、硫酸デキストロアンフェタミン、リン酸デキストロアンフェタミン、塩酸ジエチルプロピオン、塩酸フェンフルラミン、塩酸メタンフェタミン、塩酸メチルフェニデート、酒石酸フェンジメトラジン、塩酸フェンメトラジン、クエン酸カフェイン）；
バルビツレート（例えばアミロバルビタールナトリウム、ブタバルビタールナトリウム、セコバルビタールナトリウム）；
鎮静剤（例えば塩酸ヒドロキシジン、メスプリロン）；去痰剤（例えばヨウ化カリウム）；
制吐剤（例えば塩酸ベンズアキナミド（benzaquinamide hydrochloride）、塩酸メトクロプロパミド、塩酸トリメトベンズアミド）；
胃腸剤（例えば塩酸ラニチジン）；重金属アンタゴニスト（例えばペニシラミン、塩酸ペニシラミン）；
抗甲状腺剤（例えばメチマゾール）；
尿生殖器平滑筋弛緩剤（例えば塩酸フラボキセート、塩酸オキシブチニン）；
ビタミン（例えば塩酸チアミン、アスコルビン酸）；
分類されていない薬剤（例えば塩酸アマンタジン、コルヒチン、エチドロネート２ナトリウム、ロイコボリンカルシウム、メチレンブルー、塩化カリウム、塩化プラリドキシム。
【０１０９】
ステロイド、特にグルココルチコイド（例えばプレドニゾロン、プレドニゾン、コルチゾン、ヒドロコルチゾン、メチルプレドニゾロン、ベタメタゾン、デキサメタゾン、トリアムシノロン）。
【０１１０】
薬剤はその基剤（in their base for）で使用してもよく、または製薬上許容される塩もしくは複合体を使用してもよい。上記の考え得る治療物質の種類または特定の薬剤のリストは単に例証であり、本発明の範囲をいかなるようにも制限しないことを意図する。
【０１１１】
本発明の時間治療製剤を使用して、それらの治療が有益であることが当業者に知られている（または知られるようになった）症状を治療してもよい。それらの治療には、それに制限されるわけではないがアレルギー性鼻炎、注意欠陥障害、喘息、関節炎、癌治療、心血管障害、高コレステロール、高血圧、および潰瘍がある。
【０１１２】
アレルギー性鼻炎に関しては、主な症状であるくしゃみ、鼻水、および鼻づまりは、一般に所定の日の活動時間中より、起床時に悪化する。本発明の時間治療法はくしゃみ、鼻の充血、鼻水、およびアレルギーから来る目の回復（offset）も促進する。例えば、枯草熱の症状は朝がピークとなる。いくつかの研究で明らかになっているところによれば、抗ヒスタミン剤を日中ではなく夕方に摂取すると、症状の開始を待つのではなく、患者の起床前に症状を抑える。従って、便宜な時間に摂取し、それがある時点で用量（the dose）を放出し、それによって投与形態の効果が朝に最大となるようになるような（例えば抗ヒスタミン剤の）時間治療経口製剤を提供することは非常に望まれる。
【０１１３】
喘息に関しては、正常な肺機能は２４時間周期で変化し、早朝に低くなる。この低下（dip）を特に喘息と呼ぶ。喘息の時間治療は、早朝に気管支拡張剤からの最大効果を得ることを目的とする。喘息の症例を管理するかぎは時間治療であり、夜間の喘息を改善するための治療によって日中の喘息の兆候を改善できることが提言されてきた（proferred）。確かに投与量およびタイミングは喘息患者に関して関連づけられており、それらの患者の数は１９７５年以来、アメリカだけで倍増している。喘息患者の大半は夜間に最も悪化し、おそらくこれは、その時間に身体の自然の抗炎症剤であるコルチゾールがその最も低いレベルとなるためである。最も一般的な発作の時間は午前４時であるため、多くの場合、喘息そのものの苦痛は不眠という更なる苦痛によって一層ひどくなる。従って、便宜な時間に摂取し、それが例えば午前４時の少し前に用量（the dose）を放出し、それによって投与形態の効果がその時間に最大となるようになるような（例えば抗ヒスタミン剤の）時間治療経口製剤を提供することは非常に望まれる。
【０１１４】
本発明の時間治療製剤を使用して関節炎を治療してもよい。グルココルチコイドはリウマチ性関節炎の症状、例えば朝の硬直、関節痛、および関節の腫張（swelling）に対して非常に好ましい効果を有する。関節炎に関しては、時間生物学的パターンが関節痛で観察されている。骨関節炎（関節炎の最も一般的な型）に罹患した人は朝に痛みがより少なく、夜に強い傾向がある。ところがリウマチ性関節炎に罹患した人では通常、痛みは朝にピークとなり、１日の経過と共に減少する。最近の動物実験はラットにおける関節炎が２４時間にわたって変動することを示しており、これらの観察を患者および医師の両方によって支持している。この治療分野における考え得る薬剤候補には（全ての型の関節炎のための）標準的な治療であるNSAIDおよびコルチコステロイドなどがある。好ましくは、薬剤の血中レベルが最も高くなる時が痛みのピークと確実に同時になるように投与の時間を設定すべきである。骨関節炎では、NSAID（イブプロフェンなど）の最適時間はおよそ正午または午後の中頃である。リウマチ性関節炎では、NSAIDを摂取するのに最適な時間は夕食後である。
【０１１５】
注意欠陥障害に関しては、持続放出製剤を使用すると薬剤の血漿濃度のピークがより低いことが観察されており、ある場合には、メチルフェニデートの持続放出は慣例的な投与形態より効果が低いことが観察されている。注意欠陥障害を治療するための最も有効な量の薬剤の放出を遅延させる投与形態は、特に投与形態によって１回の投与で活性物質が最初に放出され、次いで予測可能な遅延があり、その後活性物質の２回目の放出が起これば、有用である。考え得る薬剤候補には刺激剤、例えばメチルフェニデートおよび製薬上許容されるその塩がある。
【０１１６】
癌治療に関しては、癌治療薬を慎重に選択した時間に投与すれば、時間治療はより効果的で毒性がより低くなりうることが動物実験で示唆されている。現在、正常細胞と腫瘍細胞では異なる時間生物学的サイクルがあり得ることが研究で示唆されている。これが真実なら、ゴールは癌治療薬の投与の時間を腫瘍細胞の時間生物学的サイクルに合わせ、癌に対してより効果的に、正常組織に対してはより毒性を低くすることである。考え得る薬剤候補には、例えば注射液、例えばドキソルビシンおよびシスプラチン（併用）、そしてフロクスウリジンがある。
【０１１７】
心血管障害の治療において、時間治療は全く新しいわけではない。１９８６年以来、アンギナに罹患した患者にニトログリセリン貼付剤での治療が行われてきたが、これは朝患者の胸部または肩部に貼付し、夕方に除去する。これは、疾病が１日のうちのある時間に悪化するために１日のうちのその時間に治療すべきであるという認識に基づいているのではないため、“正規ではない（side door）”時間治療と考えられる。むしろこれは、ニトログリセリンは連続的に投与すると効果的でないという認識から来たものである。心臓病には２４時間のパターンがあるという事実に基づいて、本発明の時間治療製剤の使用は非常に好ましい。当業者が認識してきたところによれば、心臓発作、突然死、アンギナ、および卒中は全て朝に最も多いようである。従って、便宜な時間に摂取し、投与形態の効果がその時間に最大となるように用量（the dose）が放出されるような時間治療経口製剤を提供することは非常に望まれる。考え得る薬剤候補には抗高血圧剤、抗虚血剤、および血液凝固を制御する薬剤がある。
【０１１８】
高血圧に関しては、血圧は２４時間にわたって（日周期性で）変動する。ほとんどの正常血圧患者およびほとんどの本態性高血圧患者（全身性の血管収縮が細動脈における末梢血管耐性の増加と関連する）では、日周期性の機構、そして睡眠／活動サイクルの際の活動およびストレスの差異によって起床時に血圧の急激な上昇が起こる。血圧は日中の活動中にピークとなった後、睡眠中に日中の平均レベルの１０％から２０％低下する。血圧および心拍は共に一般に早朝に上昇し、心筋の酸素必要量が著しく増加し、これによって既知の、または未診断の冠状動脈疾患を有する患者において心筋虚血が起こる。起床時の血圧の急激な上昇は朝の脳血管発作および心筋梗塞の高い発生率と関係する。更に、脳血管発作および他の心血管現象（突然死、急性心筋梗塞、および全ての虚血性症状（total ischemic burden））は日周期性であり、活動時間の最初の６時間（午前６時から正午）の間に最も多く、睡眠中は最も少ないことがFraminghamの研究結果から観察されている。理論上、朝の血圧上昇によって冠状動脈のアテローム斑、損傷が潜在する組織が破壊され、凝血プロセスが最も活動的な早朝に血餅の生成が促進される。従って、便宜な時間に摂取し、投与形態の効果がその時間に最大となるように用量（the dose）を放出するような時間治療経口製剤を提供することは非常に望まれる。
【０１１９】
起床時の血圧の急激な上昇に加え、血圧の“低下（dip）”は夜間の睡眠中にほとんどの人で起こる。この低下（dip）は多様であり、あるいはより重篤な型の高血圧患者および続発性高血圧患者ではこれが見られない場合もあり、それらの患者では血圧は予測通りに低下しないか、または睡眠中に日中のレベルに比較して上昇する。血圧のパターンは４つのカテゴリーに分類される：（i）“ディッパー（dippers）”は日中の平均血圧レベルに比較して夜間の睡眠中は１０％から２０％の血圧低下を示す；（ii）“ノン・ディッパー（nondippers）”は夜間の血圧が日中のレベルからわずかにしか変化しない；（iii）“スーパー・ディッパー（superdippers）”は夜間に血圧が日中の平均レベルより２０％以上低下する；そして（iv）“ライザー（risers）”は夜間の血圧が日中レベルに比較して高い。血圧の正常な日周期性からの逸脱は、終末器官の損傷および望ましくない心血管現象のリスクの増加と関係する。夜間の血圧パターンがスーパー・ディップまたはノン・ディップである高血圧患者は眼、腎臓、および心臓異常がより発生しやすく、心血管現象、例えば脳血管発作およ心筋梗塞の率が正常なディッパーより高い。
【０１２０】
時間治療は、患者のニーズに比例した量の医薬品を運搬し、それにより血圧の日周期リズムと同時性を持たせることによって日中および夜間の血圧をより良好に制御することを可能とする治療法である。血圧が最高となる朝および日中により多くの時間治療抗高血圧剤を運搬し、一般的に血圧が最低レベルまで低下する夜間により少ない薬剤を運搬する。好適な運搬系を使用して必要とされる薬剤の時間治療投与を行うことによって早朝の血圧および心拍の上昇を抑制すれば、理論的に早朝の心血管現象の発生率を低下させることができる。
【０１２１】
カルシウムチャンネル遮断薬、ベラパミルは心拍並びに血圧を低下させ、虚血性心疾患および高血圧の両方に罹患した患者に特に有用である。ベラパミルのこれらの特性およびその半減期により、時間治療経口薬剤吸収系（chronotherapeutic oral drug absorption system；CODAS）を有する抗高血圧剤の製剤としてベラパミルは良好な選択である。この系は就寝時に摂取し、４から５時間の薬剤運搬の最初の遅延があり、その後薬剤が制御放出されるように設計されたものである。CODAS-ベラパミルカプセル（Verelan（登録商標）PM）はCODAS多粒子（multiparticulate）技術をベラパミルをコーティングしたビーズと共に使用して生成された。この製剤は指示通り摂取すると、朝の起床時頃に血漿中のベラパミル濃度が最高となる。研究で明らかになったところによれば、ベラパミル時間治療薬を夜間に投与することにより、朝の急激な血圧上昇を慣例的な抗高血圧剤より良好に制御することが可能となる。また、ベラパミル時間治療薬を就寝時に投与すると低血圧または夜間の血圧の過剰な低下を起こすことなく日中の血圧が制御され、潅流圧（perfusion pressure）の不足による標的器官の損傷のリスクが低下する。更に、ベラパミル時間治療薬は慣例的なベラパミルおよび他の抗高血圧剤より、日中により多くの医薬品を運搬するように設計される。考え得る薬剤候補にはカルシウムチャンネル遮断薬のような抗高血圧剤がある。
【０１２２】
高コレステロールを制御するための医薬品、例えばHMG-CoAレダクターゼ阻害剤も、酵素活性レベルがピークとなる夕方に投与するとより良好に作用すると考えられる。従って、便宜な時間に摂取し、それが投与形態の効果がその時間に最大となるように用量（the dose）を放出する時間治療経口製剤を提供することは非常に望まれる。
【０１２３】
潰瘍の治療は、タイミングが重要である別な例である。胃から生成される酸性度は午後６時にピークとなることが知られているので、胃での酸の分泌を低下させる医薬品をそれに応じて運搬することができる。
【０１２４】
時間治療の利点には、安全かつ慣例的な療法より効果の高い治療であるという点がある。これは疾病のリスクが大きいほどより多くの薬剤を運搬し、疾病症状の可能性が低いほどより少ない薬剤を運搬することによるものである。本発明の他の利点には、クオリティオブライフが高く、１日１回の薬剤運搬系であって患者のコンプライアンス（compliance）が高められるということがある。
【０１２５】
治療すべき疾病状態の兆候（例えば喘息の発作、関節炎による痛み）が起床時に最大であるような本発明のある好ましい実施形態では、時間治療製剤を好ましくは就寝時（例えばおよそ午後９または１０時）に患者に経口投与し、約５または６時間の遅延時間があり、それによって例えば圧縮コーティングされた遅延放出経口投与形態中の実質的な部分の薬剤は例えば午前２-３時の間、または午前３-４時の間に放出され、薬剤は胃腸管から吸収され、疾病状態の兆候のピークに相関した時間に治療的効能を提供する。
【０１２６】
活性薬剤が低投与量の活性薬剤（例えば約０．０１ｍｇから約４０ｍｇの（単位）投与量で投与される薬剤）である場合、ある好ましい実施形態では、錠剤の総重量は約２２０ｍｇから約９００ｍｇであり；コアの重量は好ましくは約５０ｍｇから約１７０ｍｇである。好ましくはコアは錠剤の総重量の約５から約２３重量パーセント、最も好ましくは約１８から約２０重量パーセントである。活性薬剤が低投与量活性薬剤である実施形態において、コーティングは好ましくは約１５０ｍｇから約８５０ｍｇである。好ましくは、コーティングは錠剤の総重量の約７５から約９４重量パーセント、最も好ましくは約７８から８０重量パーセントである。好ましくは、活性薬剤が低投与量活性薬剤である場合、コアとガム（圧縮コーティング中の）の比率は約１：０．３７から約１：５、好ましくは約１：０．３７から約１：１．１２、最も好ましくは約１：０．７５である。活性薬剤が低投与量活性薬剤である場合、コアと圧縮コーティング物質（全成分）の比率は好ましくは約１：２から約１：９であり、ある好ましい実施形態ではより好ましくは約１：４である。
【０１２７】
活性薬剤が比較的高投与量の活性薬剤（例えば約４１ｍｇから約３００ｍｇの（単位）投与量で投与される薬剤）である場合、コアとガム（圧縮コーティング中の）の比率は約１：０．３から約１：３、好ましくは約１：０．６から約１：１．５である。ある実施形態において、好ましくは活性薬剤が高投与量の活性薬剤である場合、コアと圧縮コーティング物質（全成分）の比率は約１：１から約１：５、好ましくは約１：２から約１：３である。活性薬剤が比較的高投与量の活性薬剤である場合、錠剤の総重量は好ましくは約５００ｍｇから約１５００ｍｇ、より好ましくは約７５０ｍｇから約１０００ｍｇである。約１：９であり、ある好ましい実施形態ではより好ましくは約１：４である。
【０１２８】
添付する実施例において、一般に、回転式錠剤プレスで手動によって、活性成分を含有するコアをコーティング製剤で圧縮コーティングする。それらの工程では、おおよそ半分の外側コア物質を最初に鋳型に添加する。一般に内部コア錠剤を粉末ベッド上で中央に配し、もう半分の外側コーティング粉末で被覆する。しかしながら、当業者に認識されるように、圧縮コーティングは、商業化のために自動錠剤プレスによって行ってもよい。錠剤プレスでの圧縮コーティングに先立って、好ましくは０．７５％のPruv（登録商標）（ステアリルフマル酸ナトリウム（米国国民医薬品集））または他の好適な潤滑剤を圧縮コーティング物質に添加する。コーティングがガムを必要とするある実施例では、例えば５０％キサンタンガム（ＸＧ）の場合、コーティングはデキストロースで希釈した５０％キサンタンガムを含有し；例えば５０％ローカストビーンガム（ＬＢＧ）の場合、コーティングはデキストロースで希釈した５０％ローカストビーンガムを含有する。
【実施例】
【０１２９】
好ましい実施形態の詳細な説明
以下の実施例によって本発明の種々の観点を例証する。それらは特許請求の範囲をいかようにも制限しないものと解釈される。
【０１３０】
（実施例１）
本発明の圧縮コーティングに使用される遅延放出剤を以下の表１に記載する処方で調製する：
【表１】
2005500255.tif 000002
工程：
１．必要量のキサンタンガム、ローカストビーンガム、およびデキストロースを高速混合機／造粒機で３分間乾式混合する。
【０１３１】
２．水（１２５-１５０ｍｌ）を同乾式混合物に添加し、更に３分間顆粒化する。
【０１３２】
３．その後、顆粒をfluid bed dryerで、約１０重量％未満のＬＯＤ（乾燥減量）（例えば４-７％  ＬＯＤ）まで乾燥する。
【０１３３】
（実施例２）
本発明の圧縮コーティングに使用される遅延放出剤を以下の表２に記載する処方で調製する：
【表２】
2005500255.tif 000003
工程：
１．必要量のキサンタンガム、ローカストビーンガム、硫酸カルシウム、およびデキストロースを高速混合機／造粒機で３分間乾式混合する。
【０１３４】
２．エチルセルロースをエチルアルコールに溶解して疎水性ポリマー（エチルセルロース）のスラリーを調製する。
【０１３５】
３．スラリーを同乾式混合物に添加し、更に３分間顆粒化する。
【０１３６】
４．その後、顆粒をfluid bed dryerで、約１０重量％未満のＬＯＤ（乾燥減量）（例えば４-７％  ＬＯＤ）まで乾燥する。
【０１３７】
（実施例３）
本発明の圧縮コーティングに使用される遅延放出剤を以下の表３に記載する処方で調製する：
【表３】
2005500255.tif 000004
工程：
１．必要量のキサンタンガム、ローカストビーンガム、硫酸カルシウム、およびデキストロースを高速混合機／造粒機で３分間乾式混合する。
【０１３８】
２．水（１２５-１５０ｍｌ）を同乾式混合物に添加し、更に３分間顆粒化する。
【０１３９】
３．その後、顆粒をfluid bed dryerで、約１０重量％未満のＬＯＤ（乾燥減量）（例えば４-７％  ＬＯＤ）まで乾燥する。
【０１４０】
（実施例４）
本発明の圧縮コーティングに使用される遅延放出剤を以下の表４に記載する処方で調製する：
【表４】
2005500255.tif 000005
工程：
実施例１と同じ工程を使用して実施例４の遅延放出コーティングを調製する。
【０１４１】
（実施例５）
本発明の圧縮コーティングに使用される遅延放出剤を以下の表５に記載する処方で調製する：
【表５】
2005500255.tif 000006
工程：
実施例３と同じ工程を使用して実施例５における本発明の圧縮コーティングに使用される遅延放出剤を調製する。
【０１４２】
（実施例６）
本発明の圧縮コーティングに使用される遅延放出剤を以下の表６に記載する処方で調製する：
【表６】
2005500255.tif 000007
工程：
実施例３と同じ工程を使用して実施例６における本発明の圧縮コーティングに使用される遅延放出剤を調製する。
【０１４３】
（実施例７）
本発明の圧縮コーティングに使用される遅延放出剤を以下の表７に記載する処方で調製する：
【表７】
2005500255.tif 000008
工程：
実施例１と同じ工程を使用して実施例７における本発明の圧縮コーティングに使用される遅延放出剤を調製する。
【０１４４】
（実施例８）
本発明の圧縮コーティングに使用される遅延放出剤を以下の表８に記載する処方で調製する：
【表８】
2005500255.tif 000009
工程：
実施例１と同じ工程を使用して実施例８における本発明の圧縮コーティングに使用される遅延放出剤を調製する。
【０１４５】
（実施例９）
本発明の圧縮コーティングに使用される遅延放出剤を以下の表９に記載する処方で調製する：
【表９】
2005500255.tif 000010
工程：
実施例１と同じ工程を使用し、デキストロースの代わりにラクトースを使用して、実施例５における本発明の圧縮コーティングに使用される遅延放出剤を調製する。
【０１４６】
（実施例１０）
本発明の圧縮コーティングに使用される遅延放出剤を以下の表１０に記載する処方で調製する：
【表１０】
2005500255.tif 000011
工程：
１．必要量のキサンタンガム、ローカストビーンガム、マンニトール、およびヒドロキシプロピルメチルセルロースを高速混合機／造粒機で３分間乾式混合する。
【０１４７】
２．水（１２５-１５０ｍｌ）を同乾式混合物に添加し、更に３分間顆粒化する。
【０１４８】
３．その後、顆粒をfluid bed dryerで、約１０重量％未満のＬＯＤ（乾燥減量）（例えば４-７％  ＬＯＤ）まで乾燥する。
【０１４９】
（実施例１１）
本発明の圧縮コーティングに使用される遅延放出剤を以下の表１１に記載する処方で調製する：
【表１１】
2005500255.tif 000012
工程：
実施例１と同じ工程を使用し、デキストロースの代わりにマンニトールを使用して、実施例１１における本発明の圧縮コーティングに使用される遅延放出剤を調製する。
【０１５０】
（実施例１２）
本発明の圧縮コーティングに使用される遅延放出剤を以下の表１２に記載する処方で調製する：
【表１２】
2005500255.tif 000013
工程：
実施例１０と同じ工程を使用して、実施例１２における本発明の圧縮コーティングに使用される遅延放出剤を調製する。
【０１５１】
（実施例１３）
本発明の圧縮コーティングに使用される遅延放出剤を以下の表１３に記載する処方で調製する：
【表１３】
2005500255.tif 000014
工程：
実施例１２と同じ工程を使用して、実施例１３における本発明の圧縮コーティングに使用される遅延放出剤を調製する。
【０１５２】
（実施例１４）
本発明の圧縮コーティングに使用される遅延放出剤を以下の表１４に記載する処方で調製する：
【表１４】
2005500255.tif 000015
工程：
実施例１２と同じ工程を使用して、実施例１４における本発明の圧縮コーティングに使用される遅延放出剤を調製する。
【０１５３】
（実施例１５）
本発明の圧縮コーティングに使用される遅延放出剤を以下の表１５に記載する処方で調製する：
【表１５】
2005500255.tif 000016
工程：
実施例１２と同じ工程を使用して、実施例１５における本発明の圧縮コーティングに使用される遅延放出剤を調製する。
【０１５４】
（実施例１６）
遅延放出コーティングを以下の表１６に記載する処方で調製する：
【表１６】
2005500255.tif 000017
工程：
実施例１２と同じ工程を使用して、実施例１６における本発明の圧縮コーティングに使用される遅延放出剤を調製する。
【０１５５】
（実施例１７）
本発明の圧縮コーティングに使用される遅延放出剤を以下の表１７に記載する処方で調製する：
【表１７】
2005500255.tif 000018
工程：
１．必要量のキサンタンガム、ローカストビーンガム、デキストロース、および微結晶セルロースを高速混合機／造粒機で３分間乾式混合する。
【０１５６】
２．水（１２５-１５０ｍｌ）を同乾式混合物に添加し、更に３分間顆粒化する。
【０１５７】
３．その後、顆粒をfluid bed dryerで、約１０重量％未満のＬＯＤ（乾燥減量）（例えば４-７％  ＬＯＤ）まで乾燥する。
【０１５８】
（実施例１８）
本発明の圧縮コーティングに使用される遅延放出剤を以下の表１８に記載する処方で調製する：
【表１８】
2005500255.tif 000019
工程：
実施例１と同じ工程を使用し、デキストロースの代わりに微結晶セルロースを使用して、実施例１８における本発明の圧縮コーティングに使用される遅延放出剤を調製する。
【０１５９】
（実施例１９）
プレドニゾロン・コア組成物を表１９に記載する製剤成分で調製する：
【表１９】
2005500255.tif 000020
工程：
１．必要量のプレドニゾロンおよびProsolv（商標） SMCC 50をV-混合機を使用して５分から１０分間混合する。
【０１６０】
２．必要量のProsolv（商標） SMCC 90、Explotab（登録商標）、およびカルボキシメチルセルロースナトリウムを同混合物に添加し、更に５分間混合を続ける。
【０１６１】
３．必要量のPruvを同混合物に添加し、更に５分間混合する。
【０１６２】
４．錠剤プレスを使用して錠剤コアを圧縮する。
【０１６３】
（実施例２０）
プレドニゾロン・コア組成物を表２０に記載する製剤成分で調製する：
【表２０】
2005500255.tif 000021
工程：
１．必要量のプレドニゾロン、Prosolv（商標） SMCC 90、Explotab（登録商標）を５分から１０分間混合する。
【０１６４】
２．必要量のPruvおよびPVPを同混合物に添加し、更に５分間混合する。
【０１６５】
３．錠剤プレスを使用して錠剤コアを圧縮する。
【０１６６】
（実施例２１）
プレドニゾロン・コア組成物を表２１に記載する製剤成分で調製する：
【表２１】
2005500255.tif 000022
工程：
１．必要量のプレドニゾロン、Prosolv（商標） SMCC 90、Explotab（登録商標）、およびカルボキシメチルセルロースナトリウムを５分から１０分間混合する。
【０１６７】
２．必要量のPruvおよびPVPを同混合物に添加し、更に５分間混合する。
【０１６８】
３．錠剤プレスを使用して錠剤コアを圧縮する。
【０１６９】
（実施例２２）
プレドニゾロン・コア組成物を表２２に記載する製剤成分で調製する：
【表２２】
2005500255.tif 000023
工程：
１．必要量のプレドニゾロンおよびProsolv（商標） SMCC 50をV-混合機を使用して５分から１０分間混合する。
【０１７０】
２．必要量のProsolv（商標） SMCC 90、Explotab（登録商標）、PVP、およびタルクを同混合物に添加し、更に５分間混合を続ける。
【０１７１】
３．必要量のPruvを同混合物に添加し、更に５分間混合する。
【０１７２】
４．錠剤プレスを使用して錠剤コアを圧縮する。
【０１７３】
（実施例２３）
プレドニゾロン・コア組成物を表２３に記載する製剤成分で調製する：
【表２３】
2005500255.tif 000024
工程：
１．必要量のプレドニゾロンおよびProsolv（商標） SMCC 50をV-混合機を使用して５分から１０分間混合する。
【０１７４】
２．必要量のProsolv（商標） SMCC 90、Explotab（登録商標）、カルボキシメチルセルロースナトリウム、およびタルクを同混合物に添加し、更に５分間混合を続ける。
【０１７５】
３．必要量のPruvを同混合物に添加し、更に５分間混合する。
【０１７６】
４．錠剤プレスを使用して錠剤コアを圧縮する。
【０１７７】
（実施例２４）
プレドニゾロン・コア組成物を表２４に記載する製剤成分で調製する：
【表２４】
2005500255.tif 000025
工程：
実施例２３と同じ工程を使用して実施例２４のコアを調製する。
【０１７８】
（実施例２５）
プレドニゾロン・コア組成物を表２５に記載する製剤成分で調製する：
【表２５】
2005500255.tif 000026
工程：
実施例２３と同じ工程を使用し、Explotab（登録商標）およびカルボキシメチルセルロースナトリウムを含有させずに、実施例２５のコアを調製する。
【０１７９】
（実施例２６）
プレドニゾロン・コア組成物を表２６に記載する製剤成分で調製する：
【表２６】
2005500255.tif 000027
工程：
実施例２３と同じ工程を使用し、カルボキシメチルセルロースナトリウムを含有させずに、実施例２６のコアを調製する。
【０１８０】
（実施例２７）
プレドニゾロン・コア組成物を表２７に記載する製剤成分で調製する：
【表２７】
2005500255.tif 000028
工程：
実施例２３と同じ工程を使用して実施例２７のコアを調製する。
【０１８１】
（実施例２８）
プレドニゾロン・コア組成物を表２８に記載する製剤成分で調製する：
【表２８】
2005500255.tif 000029
工程：
実施例２３と同じ工程を使用し、Explotab（登録商標）を含有させずに、実施例２８のコアを調製する。
【０１８２】
（実施例２９）
プレドニゾロン・コア組成物を表２９に記載する製剤成分で調製する：
【表２９】
2005500255.tif 000030
工程：
実施例２３と同じ工程を使用して実施例２９のコアを調製する。
【０１８３】
（実施例３０）
プレドニゾロン・コア組成物を表３０に記載する製剤成分で調製する：
【表３０】
2005500255.tif 000031
工程：
実施例２３と同じ工程を使用し、Explotab（登録商標）を含有させずに、実施例３０のコアを調製する。
【０１８４】
（実施例３１）
プレドニゾロン・コア組成物を表３１に記載する製剤成分で調製する：
【表３１】
2005500255.tif 000032
工程：
実施例２３と同じ工程を使用し、カルボキシメチルセルロースナトリウムを含有させずに、実施例３１のコアを調製する。
【０１８５】
（実施例３２）
プレドニゾロン・コア組成物を表３２に記載する製剤成分で調製する：
【表３２】
2005500255.tif 000033
工程：
実施例２３と同じ工程を使用し、カルボキシメチルセルロースナトリウムを含有させずに、実施例３２のコアを調製する。
【０１８６】
（実施例３３）
プレドニゾロン・コア組成物を表３３に記載する製剤成分で調製する：
【表３３】
2005500255.tif 000034
工程：
実施例２３と同じ工程を使用し、カルボキシメチルセルロースナトリウムを含有させずに、実施例３３のコアを調製する。
【０１８７】
（実施例３４）
プレドニゾロン・コア組成物を表３４に記載する製剤成分で調製する：
【表３４】
2005500255.tif 000035
工程：
実施例２３と同じ工程を使用して実施例３４のコアを調製する。
【０１８８】
（実施例３５）
プレドニゾロン・コア組成物を表３５に記載する製剤成分で調製する：
【表３５】
2005500255.tif 000036
工程：
実施例２３と同じ工程を使用し、Explotab（登録商標）を含有させずに、実施例３５のコアを調製する。
【０１８９】
（実施例３６）
プレドニゾロン・コア組成物を表３６に記載する製剤成分で調製する：
【表３６】
2005500255.tif 000037
工程：
実施例２３と同じ工程を使用して実施例３６のコアを調製する。
【０１９０】
（実施例３７-３９）
実施例３７-３９では、実施例２１に記載するコア製剤および実施例３に記載するコーティング製剤を有するプレドニゾロン錠剤を調製した。実施例３７-３９の錠剤処方を以下の表３７に記載する。
【表３７】
2005500255.tif 000038
工程：
１．必要量の即時放出コアを秤量し、置いておく。
【０１９１】
２．０．７５重量％のPruv（登録商標）ステアリルフマル酸ナトリウム（米国国民医薬品集）、（Edward Mendell社から販売されている）を必要量のコーティングと５分間混合する。
【０１９２】
３．圧縮コーティングの約半量を秤量する。
【０１９３】
４．圧縮コーティングの下層を鋳型の下側のパンチに注入する。
【０１９４】
５．圧縮コーティングの中央に即時放出コアを配する。
【０１９５】
６．上層を鋳型に注入する。
【０１９６】
７．パンチステーション（punch station）を回転させて圧縮する。
【０１９７】
８．完成した錠剤を秤量して適切な重量となっていることを確認する。
【０１９８】
実施例３７-３９の錠剤を、米国薬局方器具III型を使用し、２５０ｍＬの脱イオン水を用いて１５回浸漬／分 (ｄｐｍ)で試験し、以下の表３８に示す結果を得た：
【表３８】
2005500255.tif 000039
実施例３７-３９の錠剤の結果は表３９に記載するように以下の遅延時間（錠剤からプレドニゾロンが放出される時間）および完全放出時間（錠剤から全てのプレドニゾロンが放出される時間）であった：
【表３９】
2005500255.tif 000040
（実施例４０-４２）
実施例４０-４２では、実施例２１に記載するコア製剤および実施例２に記載するコーティング製剤を有するプレドニゾロン錠剤を調製した。実施例４０-４２の錠剤処方を以下の表４０に記載する。
【表４０】
2005500255.tif 000041
工程：
実施例３７-３９と同じ工程を使用して実施例４０-４２の錠剤を調製する。
【０１９９】
実施例４０-４２の錠剤を、米国薬局方器具III型を使用し、２５０ｍＬの脱イオン水を用いて１５回浸漬／分 (ｄｐｍ)で試験し、以下の表４１に示す結果を得た：
【表４１】
2005500255.tif 000042
実施例４０-４２の錠剤の結果は表４２に記載するように以下の遅延時間（錠剤からプレドニゾロンが放出される時間）および完全放出時間（錠剤から全てのプレドニゾロンが放出される時間）であった：
【表４２】
2005500255.tif 000043
ここに見られるように、錠剤の総重量が（コーティング重量の増加によって）増加するほど、遅延時間および相当する放出時間が増加する傾向がある。
【０２００】
（実施例４３）
実施例４３では、種々の遅延放出コーティング製剤を調製し、コーティング製剤中のガムのパーセンテージが錠剤コア中の活性物質の放出時間および放出速度に与える影響を確認した。
【０２０１】
種々のガム・パーセンテージを有するこの実施例の種々の遅延放出コーティング顆粒の成分は以下の通りである：
【表４３ａ】
2005500255.tif 000044
遅延放出圧縮コーティング中のガムの種々のパーセンテージの影響を以下の表に示す：
【表４３ｂ】
2005500255.tif 000045
表４３ｂに示すように、２０％のガムを含有する製剤は３０％または５０％のガムを含有する製剤より速く活性物質を放出した。結果は、顆粒化した遅延放出の実施例ではガムの％のランク順位に従った。キサンタンガム（未顆粒化）はこの実施例における他の遅延放出コーティング（顆粒化ガムを含有）と同様にはならなかった（例えば同じ遅延放出を起こさなかった）。
【０２０２】
上記の結果に見られるように、製剤中の薬剤に関するガムの量が増えるほど、それに対応して薬剤放出前の遅延時間の増加が観察される。
【０２０３】
（実施例４４）
実施例４４では、種々の例の遅延放出圧縮コーティング製剤を調製し、錠剤中の薬剤とコーティング製剤中のガムの比率の、錠剤コア中の活性物質の放出時間および放出速度に対する影響を確認した。
【０２０４】
種々の遅延放出コーティング顆粒の成分を上記の実施例に示す。種々の薬剤とガムの比率の影響を以下の表に記載する。
【表４４】
2005500255.tif 000046
この実施例では、実施例８のコーティング（薬剤：ガムの比率が１：３３．７５）のガムは実施例３のコーティング製剤（薬剤：ガムの比率が１：５０．６）および実施例２のコーティング（薬剤：ガムの比率が１：８４．４）のいずれよりも速い放出時間を示した。キサンタンガムはそのものに関してはランク順位に従ったが（例えばより多くのガム総量を含有するより大きな錠剤はより長い遅延を示す）、顆粒化物質（実施例８、２、および３のコーティング）に関しては従わなかった。薬剤に対してガムの量が増加するほど、それに対応して遅延時間の増加が観察される。達した結論によれば、薬剤に対するガムの比率が増加するほど、薬剤の放出前の放出遅延時間が増加（延長）される。
【０２０５】
（実施例４５）
実施例４５では、種々のロットの遅延放出コーティング製剤を調製し、持続放出コーティングの厚さが錠剤コア中の活性物質の放出時間および放出速度に与える影響を確認した。
【０２０６】
種々の内部コア製剤の成分を上記の実施例に示し、種々の遅延放出コーティング顆粒の成分を表４５に示す。遅延放出コーティングの厚さの影響を以下の表に示す。
【表４５】
2005500255.tif 000047
この実施例で、実施例８のコーティングを１７０ｍｇ含有する錠剤は実施例８のコーティングを２５０ｍｇ含有する錠剤より放出が速いことが観察された。従って、錠剤においてコーティングの厚さが増加するほどそれに対応して遅延時間の増加が観察される。達した結論によれば、コーティングが厚い錠剤ほど薬剤の放出前の遅延時間が長い。
【０２０７】
（実施例４６）
実施例４６では、実施例２の遅延放出コーティングへの更なる顆粒添加剤の添加の影響を測定した。この実施例において、添加した添加剤のタイプは微結晶セルロース、ポリビニルピロリドン、およびポリエチレングリコールであり、これらの添加剤を０、５％、および１０％のレベルで添加した。
【０２０８】
この実施例の内部コア製剤の成分を上記の実施例２４に示し、この実施例の種々の遅延放出コーティング顆粒の成分を上記の実施例２に示す。添加した更なる顆粒添加剤の量またはパーセンテージを以下の表４６ａおよび４６ｂに記載する：
【表４６ａ】
2005500255.tif 000048
【表４６ｂ】
2005500255.tif 000049
持続放出コーティングへの更なる顆粒添加剤の添加の影響を以下の表に示す。
【表４６ｃ】
2005500255.tif 000050
この実施例において、５％および１０％のポリエチレングリコール6000を添加すると活性物質の放出がわずかに速まることが観察された。５％  PVP K-30を含有する錠剤も、対照に比較してわずかに短い遅延時間を示している。１０％  PVP K-30を含有する錠剤の放出速度および遅延時間は変化しなかった。１０％  MCCで調製した錠剤は遅延時間については変化を示さなかったが、５％  MCCではより遅かった。達した結論によれば、遅延時間は持続放出コーティング中への更なる添加剤の添加によって変化しうる。
【０２０９】
（実施例４７）
実施例４７では、スケールアップした持続放出コーティングの生成を行って、生産スケールで製造した錠剤が、実験スケールで生成した錠剤のものと同様の放出プロフィールを示すかどうかを確認した。
【０２１０】
この実施例では、Elizabeth Hataの製造プレスでコアをコーティングした錠剤を製造した。HT-AP44MSU-C44ステーション  コアコーティングプレスを使用して錠剤を圧縮した。錠剤の内部コアは１／４インチの平丸形で斜めのエッジ（beveled edge）とし、１７０ｍｇおよび８-１０ｋＰの錠剤とした。最終錠剤は９ｍｍの丸凹形であり、５２５および５６０ｍｇ、８-１０ｋＰの錠剤とした。
【０２１１】
生産スケールの混合物は以下の組成であった：
内部コア：
２％  プレドニゾロン
４０％  Prosolv SMCC 50
４７．７５％  Prosolv SMCC 90
６％  クロスカルメロースナトリウム
２％  デンプングリコールエステルナトリウム
２％  タルク
０．２５％  ステアリルフマル酸ナトリウム
外部コーティング混合物：
実施例２（０．７５％  ステアリルフマル酸ナトリウムを含有）
錠剤の生産では、プレス速度は９から１２ｒｐｍであった。
【０２１２】
遅延放出コーティングのスケールアップした生産の影響を以下の表４７に記載するデータポイントに示す。
【表４７】
2005500255.tif 000051
この実施例では、生産スケールで生産された錠剤は実験スケールで生成された錠剤と同様の放出プロフィ-ルを示すことが観察された。従って、達した結論によれば、調製および生成技術は問題なくスケールアップできる。
【０２１３】
（実施例４８-５７）
実施例４８-５７では、種々の量の崩壊剤を含有するコア製剤および実施例１０に記載するコーティング製剤を含むようにプレドニゾロン錠剤を調製した。それぞれの錠剤は同じコア重量、同じコーティング重量、および同じ錠剤総重量であった。実施例４８-５７の錠剤処方を以下の表４８および４９に記載する：
【表４８】
2005500255.tif 000052
【表４９】
2005500255.tif 000053
実施例４８-５７の錠剤を、米国薬局方溶解器具III型を使用し、２５０ｍＬの水を用いて１５回浸漬／分 (ｄｐｍ)  で試験し、以下の表５０に記載する結果を得た：
【表５０】
2005500255.tif 000054
結果は、コア中に崩壊剤が含有されることにより活性物質がより迅速に製剤から放出されることを示した。
【０２１４】
（実施例５８-６０）
実施例５８-６０では、実施例２４のコア製剤、および実施例２、４、および実施例２と４を組み合わせた（実施例２が５２％、実施例４が７５％）コーティング製剤を含有するようにプレドニゾロン錠剤を調製した。それぞれの錠剤は同じコア重量、同じコーティング重量、および同じ錠剤総重量であった。実施例５８-６０の錠剤処方を以下の表５１に記載する：
【表５１】
2005500255.tif 000055
実施例５８-６０に記載する製剤を含有する錠剤を、米国薬局方器具III型を使用し、２５０ｍＬの水を用いて１５回浸漬／分 の溶解試験を行った。結果を以下の表５２に示す。
【表５２】
2005500255.tif 000056
（実施例６１）
実施例６１では、実施例５９に記載する製剤を含有するプレドニゾロン錠剤を、ｐＨ、イオン強度、および浸漬速度に関して溶解の変化を試験した。評価したｐＨは１．５、７．５、およびｐＨ変化であった。
【０２１５】
ｐＨ変化法では、１つの溶解容器から次の容器へとｐＨを上昇させて行き、胃腸管を通じる投与形態の移動をシミュレーションする。最初、ｐＨは１．５で１時間である。第２ステーションのｐＨは３．５で更に２時間であり、その後第３ステーションは５．５で更に２時間である。最後に３つの最終ステーションはｐＨ７．５である。３つの最終ステーションの時間の長さは、その投与形態で予期される放出に依存して変化させることができる。
【０２１６】
結果を以下の表５３および５４に示す。結果は、実施例５９に従って調製した製剤の溶解プロフィールを示し、溶解する溶解媒体のｐＨおよびイオン強度は種々であった。
【表５３】
2005500255.tif 000057
【表５４】
2005500255.tif 000058
以下の表５５および５６に記載する結果は、実施例５９に従って調製した製剤の溶解プロフィ-ルの標準化した平均値を提供し、ここではｐＨ変化法（０．１Ｍ）で１５および３０ｄｐｍをそれぞれ使用した。
【表５５】
2005500255.tif 000059
【表５６】
2005500255.tif 000060
（実施例６２）
実施例６２では、２ｍｇのプレドニゾロンコア組成物を、コア中のプレドニゾロンの量を増加させ、Prosolve SMCC 90の量を減少させ、以下の表５７に記載する製剤を含有させて、実施例２４と同様に調製した：
【表５７】
2005500255.tif 000061
（実施例６３-６８）
実施例６３-６８では、実施例６２のコア製剤を実施例１１、１２、１３、１４、１５、および１６に従って調製したコーティングで被覆した。それらの実施例の処方を以下の表５８に示す：
【表５８】
2005500255.tif 000062
米国薬局方器具３を使用し、２５０ｍｌの溶解媒体、１５ｄｐｍで、各製剤について溶解試験を行った。異なる溶解媒体（１）ＤＩ水および（２）ｐＨ変化を使用して２つの溶解法を実施した。表５９はＤＩ水での溶解の結果であり、表６０はｐＨ変化（０．１Ｍ）での溶解の結果である。
【表５９】
2005500255.tif 000063
【表６０】
2005500255.tif 000064
データの分析により、得られたデータのlinear fitに基づく遅延時間の概算が可能となる。データは遅延時間が製剤中のガムのレベルに依存して０から８時間まで変化しうることを示している。表６１は実施例、使用したガムの比率（％）、および概算した放出前の遅延時間の概要である。
【表６１】
2005500255.tif 000065
（実施例６９）
実施例６９では、他の製剤を調製し、米国薬局方器具３型を使用し、２５０ｍｌの溶解媒体を用い、表６２に示す浸漬／分で試験した。
【０２１７】
特定の溶解媒体を以下に示す：
ＤＩ水：米国薬局方  純水；
ｐＨ変化、または、ｐＨ変化 NI（“イオン未含有”）：実施例６１に記載するｐＨ変化法で、イオンを使用しないでｐＨ調整する；
ｐＨ変化（０．１Ｍ）：実施例６１に記載するｐＨ変化法で、塩を使用してイオン強度を０．１モルとする；
ｐＨ７．５：ｐＨ７．５である溶解媒体；
ｐＨ７．５（０．１Ｍ）：ｐＨ７．５、イオン強度０．１Ｍである溶解媒体；
ＳＧＩ：胃液をシミュレーションしたもの；
ピーナッツ油  ｐＨ７．５：ｐＨ７．５のピーナッツ油；
記載する他の溶解媒体は、上記を考慮して、当業者に容易に理解される（例えばｐＨ１．５：ｐＨ１．５である溶解媒体、など）。
【０２１８】
コメント部分に記載するある種の添加剤に関しては、それらの添加剤はコアをコーティングする前に圧縮コーティングに添加した。
【表６２】
2005500255.tif 000066
2005500255.tif 000067
2005500255.tif 000068
2005500255.tif 000069
2005500255.tif 000070
2005500255.tif 000071
2005500255.tif 000072
2005500255.tif 000073
2005500255.tif 000074
2005500255.tif 000075
2005500255.tif 000076
コメント：
１．試験９は平均した統合データである。
２．試験１４は平均した統合データである。
３．試験１６は平均した統合データである。
４．試験１７は更なる添加剤として５％  PVPをコーティングに添加した。
５．試験１８は更なる添加剤として１０％  PVPをコーティングに添加した。
６．試験１９は更なる添加剤として５％  MCCをコーティングに添加した。
７．試験２０は更なる添加剤として５％  MCCをコーティングに添加した。
８．試験２１は更なる添加剤として１０％  PEGをコーティングに添加した。
９．試験２２は更なる添加剤として５％  PEGをコーティングに添加した。
１０．試験２３は更なる添加剤として１０％  MCCをコーティングに添加した。
１１．試験２４は更なる添加剤として２０％  MCCをコーティングに添加した。
１２．試験２５は更なる添加剤として５％  PEGをコーティングに添加した。
１３．試験２６は更なる添加剤として５％  PEGをコーティングに添加した。
１４．試験２７は更なる添加剤として１０％  PVPをコーティングに添加した。
１５．試験２８は更なる添加剤として１０％  PVPをコーティングに添加した。
１６．試験２９は更なる添加剤として１０％  PEGをコーティングに添加した。
１７．試験３０は更なる添加剤として５％  PVPをコーティングに添加した。
１８．試験３１は更なる添加剤として１５％  PEGをコーティングに添加した。
１９．試験３２は更なる添加剤として５％  硫酸カルシウムをコーティングに添加した。
２０．試験３３は更なる添加剤として１０％  硫酸カルシウムをコーティングに添加した。
２１．試験３４は更なる添加剤として１０％  硫酸カルシウムをコーティングに添加した。
２２．試験３５は更なる添加剤として３０％  硫酸カルシウムをコーティングに添加した。
２３．試験３６は更なる添加剤として５％  硫酸カルシウムをコーティングに添加した。
２４．試験３７は更なる添加剤として１０％  硫酸カルシウムをコーティングに添加した。
２５．試験３８は更なる添加剤として３０％  硫酸カルシウムをコーティングに添加した。
２６．試験３９は更なる添加剤として３０％  硫酸カルシウムをコーティングに添加した。
２７．試験４０は更なる添加剤として１５％  PEGをコーティングに添加した。
２８．試験４１は更なる添加剤として３０５％  硫酸カルシウムをコーティングに添加した。
２９．試験５４は平均した統合データである。
３０．試験９０は平均した統合データである。
３１．試験９６は２個の錠剤に基づいて行った。
３２．試験９７は２個の錠剤に基づいて行った。
３３．試験９８は３個の錠剤に基づいて行った。
３４．試験９９は３個の錠剤に基づいて行った。
３５．試験１００は６個の錠剤に基づいて行った。
３６．試験１０１は３個の錠剤に基づいて行った。
３７．試験１０２は平均した統合データである。
３８．試験１０３は３個の錠剤に基づいて行った。
３９．試験１０４は３個の錠剤に基づいて行った。
４０．試験１０５は３個の錠剤に基づいて行った。
４１．試験１０６は１２個の錠剤に基づいて行った。
４２．試験１０７は平均した統合データである。
４３．試験１０８は６個の錠剤に基づいて行った。
４４．試験１０９は１２個の錠剤に基づいて行った。
４５．試験１１０は１２個の錠剤に基づいて行った。
４６．試験１１１は３個の錠剤に基づいて行った。
４７．試験１１２は６個の錠剤に基づいて行った。
４８．試験１１３は１２個の錠剤に基づいて行った。
４９．試験１１７は平均した統合データである。
５０．試験１２０は平均した統合データである。
５１．試験１４０は平均した統合データである。
５２．試験１４６は平均した統合データである。
５３．試験１５０は平均した統合データである。
【０２１９】
（実施例７０）
アルブテロール・コア組成物を表６３に記載する製剤成分で調製した：
【表６３】
2005500255.tif 000077
工程：
実施例７０では、実施例２３と同じ工程を使用してコアを調製する。
【０２２０】
（実施例７１）
アルブテロール・コア組成物を表６４に記載する製剤成分で調製した：
【表６４】
2005500255.tif 000078
工程：
実施例７１では、実施例２３と同じ工程を使用してコアを調製する。
【０２２１】
（実施例７２）
アルブテロール・コア組成物を表６５に記載する製剤成分で調製した：
【表６５】
2005500255.tif 000079
工程：
実施例７２では、実施例２３と同じ工程を使用してコアを調製する。
【０２２２】
（実施例７３）
アルブテロール・コア組成物を表６６に記載する製剤成分で調製した：
【表６６】
2005500255.tif 000080
工程：
実施例７３では、実施例２３と同じ工程を使用してコアを調製する。
【０２２３】
（実施例７４）
アルブテロール・コア組成物を表６７に記載する製剤成分で調製した：
【表６７】
2005500255.tif 000081
工程：
実施例７４では、実施例２３と同じ工程を使用してコアを調製する。
【０２２４】
（実施例７５）
アルブテロール・コア組成物を表６８に記載する製剤成分で調製した：
【表６８】
2005500255.tif 000082
工程：
実施例７５では、実施例２３と同じ工程を使用し、該当する場合には（表６８参照）フィルムコーティングを施与してコアを調製する。
【０２２５】
（実施例７６）
アルブテロール・コア組成物を表６９に記載する製剤成分で調製した：
【表６９】
2005500255.tif 000083
工程：
実施例７６では、実施例２３と同じ工程を使用し、該当する場合には（表６９参照）フィルムコーティングを施与してコアを調製する。
【０２２６】
（実施例７７）
アルブテロール・コア組成物を表７０に記載する製剤成分で調製した：
【表７０】
2005500255.tif 000084
工程：
実施例７７では、実施例２３と同じ工程を使用し、該当する場合には（表７０参照）フィルムコーティングを施与してコアを調製する。
【０２２７】
（実施例７８）
アルブテロール・コア組成物を表７１に記載する製剤成分で調製した：
【表７１】
2005500255.tif 000085
工程：
実施例７８では、実施例２３と同じ工程を使用し、該当する場合には（表７１参照）フィルムコーティングを施与してコアを調製する。
【０２２８】
（実施例７９）
アルブテロール・コア組成物を表７２に記載する製剤成分で調製した：
【表７２】
2005500255.tif 000086
工程：
実施例７９では、実施例２３と同じ工程を使用し、該当する場合には（表７２参照）フィルムコーティングを施与してコアを調製する。
【０２２９】
（実施例８０）
アルブテロール・コア組成物を表７３に記載する製剤成分で調製した：
【表７３】
2005500255.tif 000087
工程：
実施例８０では、実施例２３と同じ工程を使用し、該当する場合には（表７３参照）フィルムコーティングを施与してコアを調製する。
【０２３０】
（実施例８１）
アルブテロール・コア組成物を表７４に記載する製剤成分で調製した：
【表７４】
2005500255.tif 000088
工程：
実施例８１では、実施例２３と同じ工程を使用し、該当する場合には（表７４参照）フィルムコーティングを施与してコアを調製する。
【０２３１】
（実施例８２）
実施例８２では、他の製剤を調製し、米国薬局方器具３型を使用し、実施例７５に示すような２５０ｍｌの溶解媒質および浸漬／分で試験した。
【０２３２】
特定の溶解媒質は以下のように定義する：
ＤＩ水：米国薬局方  純水；
ｐＨ変化 NI（“イオン未使用”）：実施例６３に記載するｐＨ変化法で、イオンを使用しないでｐＨ調整する；
ｐＨ変化または変化（０．１Ｍ）：実施例６３に記載するｐＨ変化法で、塩を使用してイオン強度を０．１モルとする；
【表７５】
2005500255.tif 000089
2005500255.tif 000090
2005500255.tif 000091
2005500255.tif 000092
持続放出コーティング内の種々のパーセントのガムの効果を以下の表７６に示す：
【表７６】
2005500255.tif 000093
表７６に示すように、２０％のガムを含有する製剤は３０％または５０％のガムを含有する製剤より速く活性物質を放出した。使用するコーティングが放出速度に影響を与える。実施例８２（ａ）では、コーティング重量および圧縮力が錠剤コア内の活性物質の放出時間および放出速度に与える影響を確認するために遅延放出コーティング製剤を調製した。
【０２３３】
（実施例８３）
メトプロロール・コア組成物を表７７に記載する製剤成分で調製した：
【表７７】
2005500255.tif 000094
実施例８３では、実施例２３と同じ工程を使用し、フィルムコーティングを施与してコアを調製する。
【０２３４】
実施例８３のコアを、次いで先の実施例の圧縮コーティング物質で圧縮コーティングし、得られた錠剤を、以下の表７８に示すようにin-vitro溶解研究に使用した。
【表７８】
2005500255.tif 000095
上に提供した実施例は限定的なものでないことを意図する。本発明の多くの他の変法は当業者に明白であり、添付の特許請求の範囲内であることを意図する。
【国際公開パンフレット】
2005500255.tif 000096
2005500255.tif 000097
2005500255.tif 000098
2005500255.tif 000099
2005500255.tif 000100
2005500255.tif 000101
2005500255.tif 000102
2005500255.tif 000103
2005500255.tif 000104
2005500255.tif 000105
2005500255.tif 000106
2005500255.tif 000107
2005500255.tif 000108
2005500255.tif 000109
2005500255.tif 000110
2005500255.tif 000111
2005500255.tif 000112
2005500255.tif 000113
2005500255.tif 000114
2005500255.tif 000115
2005500255.tif 000116
2005500255.tif 000117
2005500255.tif 000118
2005500255.tif 000119
2005500255.tif 000120
2005500255.tif 000121
2005500255.tif 000122
2005500255.tif 000123
2005500255.tif 000124
2005500255.tif 000125
2005500255.tif 000126
2005500255.tif 000127
2005500255.tif 000128
2005500255.tif 000129
2005500255.tif 000130
2005500255.tif 000131
2005500255.tif 000132
2005500255.tif 000133
2005500255.tif 000134
2005500255.tif 000135
2005500255.tif 000136
2005500255.tif 000137
2005500255.tif 000138
2005500255.tif 000139
2005500255.tif 000140
2005500255.tif 000141
2005500255.tif 000142
2005500255.tif 000143
2005500255.tif 000144
2005500255.tif 000145
2005500255.tif 000146
2005500255.tif 000147
2005500255.tif 000148
2005500255.tif 000149
2005500255.tif 000150
2005500255.tif 000151
2005500255.tif 000152
2005500255.tif 000153
2005500255.tif 000154
2005500255.tif 000155
2005500255.tif 000156
2005500255.tif 000157
2005500255.tif 000158
2005500255.tif 000159
2005500255.tif 000160
2005500255.tif 000161
2005500255.tif 000162
2005500255.tif 000163
2005500255.tif 000164
2005500255.tif 000165
2005500255.tif 000166
2005500255.tif 000167
2005500255.tif 000168
2005500255.tif 000169
2005500255.tif 000170
2005500255.tif 000171
2005500255.tif 000172
2005500255.tif 000173
2005500255.tif 000174
2005500255.tif 000175
2005500255.tif 000176
2005500255.tif 000177
2005500255.tif 000178
2005500255.tif 000179
2005500255.tif 000180
2005500255.tif 000181
2005500255.tif 000182
2005500255.tif 000183
2005500255.tif 000184
2005500255.tif 000185
2005500255.tif 000186
2005500255.tif 000187
2005500255.tif 000188
2005500255.tif 000189
2005500255.tif 000190
2005500255.tif 000191
2005500255.tif 000192
2005500255.tif 000193
2005500255.tif 000194
2005500255.tif 000195
2005500255.tif 000196
2005500255.tif 000197
2005500255.tif 000198
【国際公開パンフレット（コレクトバージョン）】
2005500255.tif 000199
【国際調査報告】
2005500255.tif 000200
2005500255.tif 000201
2005500255.tif 000202